(57)【要約】本出願の実施形態は、プリコーディング行列表示方法、通信装置、および記憶媒体を提供する。Ｋ個の周波数領域ユニットのそれぞれのプリコーディング行列はＷ＝Ｗ1×Ｗ2を満たし、Ｋ個の周波数領域ユニット内のＷ2の要素は、比較的少数のＰ個の要素で表される。端末デバイスは、第３の表示情報を報告し、第３の表示情報は第１の表示情報および第２の表示情報を含み、第１の表示情報および第２の表示情報は独立して符号化される。第１の表示情報はＰ個の要素を示すために使用され、第２の表示情報はＰを示すために使用される。したがって、端末デバイスはチャネル状態の変化に基づいて第２の表示情報の情報ビットの量を調整することができ、それによってプリコーディング行列報告の効率を改善する。
2022501931.tif 000002
【特許請求の範囲】
【請求項１】
プリコーディング行列表示方法であって、
端末デバイスによって、第３の表示情報を生成するステップであって、前記第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、
前記第３の表示情報は、第２の表示情報と第１の表示情報とを備え、
前記第２の表示情報は、ベクトルＤi,j中のＰi,j要素を示すために使用され、前記ベクトルＤi,jと行列Ｆi,jとは、Ｖi,j＝Ｆi,j×Ｄi,jを満たし、前記ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、前記行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、
前記第１の表示情報は、前記第２の表示情報によって示される前記要素の量を示すために使用される、ステップと、
前記端末デバイスによって、前記第３の表示情報を送信するステップと
を備える方法。
【請求項２】
前記ベクトルＶi,jがＷ2(1)（ｉ，ｊ），Ｗ2(2)（ｉ，ｊ），．．．，Ｗ2(K)（ｉ，ｊ）に対応することは、
Ｖi,jが、Ｗ2(1)（ｉ，ｊ），Ｗ2(2)（ｉ，ｊ），．．．，Ｗ2(K)（ｉ，ｊ）からなる列ベクトルであること、または
Ｖi,jが、Ｗ2(1)（ｉ，ｊ），Ｗ2(2)（ｉ，ｊ），．．．，Ｗ2(K)（ｉ，ｊ）の振幅からなる列ベクトルであること、または
Ｖi,jが、Ｗ2(1)（ｉ，ｊ），Ｗ2(2)（ｉ，ｊ），．．．，Ｗ2(K)（ｉ，ｊ）の位相からなる列ベクトルであること
を備える請求項１に記載の方法。
【請求項３】
前記第２の表示情報によって示される前記要素の前記量は、Ｐi,jまたはＰi,j−１を備え、（ｉ，ｊ）∈Ｓであり、Ｓは、セット｛（ｘ，ｙ）｜（ｘ∈｛１，２，．．．，Ｌ｝，ｙ∈｛１，２，．．．，Ｒ｝）｝の空でないサブセットである請求項１または２に記載の方法。
【請求項４】
前記第２の表示情報によって示される前記要素の前記量は、Σ(i,j)∈SＰi,jまたはΣ(i,j)∈S（Ｐi,j−１）を備え、Ｓは、セット｛（ｘ，ｙ）｜（ｘ∈｛１，２，．．．，Ｌ｝，ｙ∈｛１，２，．．．，Ｒ｝）｝の空でないサブセットである請求項１または２に記載の方法。
【請求項５】
前記第２の表示情報によって示される前記要素の前記量は、Ｐqを備え、Ｐqは、ｊ＝ｑが与えられるときに前記要素の前記量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである請求項１または２に記載の方法。
【請求項６】
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の位相であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の位相を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の振幅であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の振幅を取得するために使用される
請求項１乃至５のいずれか一項に記載の方法。
【請求項７】
前記端末デバイスによって、第４の表示情報を送信するステップであって、前記第４の表示情報は、前記ベクトルＤi,j中の前記Ｐi,j要素に対応するＷ2(1)（ｉ，ｊ），Ｗ2(2)（ｉ，ｊ），．．．，Ｗ2(K)（ｉ，ｊ）中の前記Ｐi,j要素の周波数領域位置を示すために使用される、ステップ
をさらに備える請求項６に記載の方法。
【請求項８】
前記行列Ｆi,jのＰi,jベクトルは互いに直交する請求項１乃至５のいずれか一項に記載の方法。
【請求項９】
前記端末デバイスによって、第５の表示情報を送信するステップであって、前記第５の表示情報は、前記行列Ｆi,jを示すために使用される、送信するステップ
をさらに備える請求項８に記載の方法。
【請求項１０】
前記端末デバイスによって、第６の表示情報を送信するステップであって、前記第６の表示情報は、
前記ベクトルＤi,jの量であって、（ｉ，ｊ）∈Ｓまたは（ｉ，ｊ）∈Ｓおよびｊ＝ｑが満たされ、Ｓは、前記セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量
を示すために使用される、ステップ
をさらに備える請求項１乃至９のいずれか一項に記載の方法。
【請求項１１】
前記第１の表示情報は、１つまたは複数のビットマップを備え、
各ビットマップは、前記ベクトルＤi,j中の前記Ｐi,j要素の位置を示すために使用される
請求項１乃至１０のいずれか一項に記載の方法。
【請求項１２】
前記第３の表示情報は、チャネル状態情報  ＣＳＩであり、前記ＣＳＩは、
前記第１の表示情報と、ランクインジケータＲＩと、第１のコードワードに対応するチャネル品質インジケータＣＱＩとを備える第１の部分  パート１のＣＳＩと、
前記第２の表示情報を備える第２の部分  パート２のＣＳＩと
を備え、
前記パート１のＣＳＩと前記パート２のＣＳＩとは、独立して符号化される
請求項１乃至１１のいずれか一項に記載の方法。
【請求項１３】
プリコーディング行列表示方法であって、
ネットワークデバイスによって、第３の表示情報を受信するステップであって、前記第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、
前記第３の表示情報は、第２の表示情報と第１の表示情報とを備え、
前記第２の表示情報は、ベクトルＤi,j中のＰi,j要素を示すために使用され、前記ベクトルＤi,jと行列Ｆi,jとは、Ｖi,j＝Ｆi,j×Ｄi,jを満たし、前記ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、前記行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、
前記第１の表示情報は、前記第２の表示情報によって示される前記要素の量を示すために使用される、ステップと、
前記ネットワークデバイスによって、前記第３の表示情報に基づいてダウンリンクデータを送信するステップと
を備える方法。
【請求項１４】
前記ベクトルＶi,jがＷ2(1)（ｉ，ｊ），Ｗ2(2)（ｉ，ｊ），．．．，Ｗ2(K)（ｉ，ｊ）に対応することは、
Ｖi,jが、Ｗ2(1)（ｉ，ｊ），Ｗ2(2)（ｉ，ｊ），．．．，Ｗ2(K)（ｉ，ｊ）からなる列ベクトルであること、または
Ｖi,jが、Ｗ2(1)（ｉ，ｊ），Ｗ2(2)（ｉ，ｊ），．．．，Ｗ2(K)（ｉ，ｊ）の振幅からなる列ベクトルであること、または
Ｖi,jが、Ｗ2(1)（ｉ，ｊ），Ｗ2(2)（ｉ，ｊ），．．．，Ｗ2(K)（ｉ，ｊ）の位相からなる列ベクトルであること
を備える請求項１３に記載の方法。
【請求項１５】
前記第２の表示情報によって示される前記要素の前記量は、Ｐi,jまたはＰi,j−１を備え、（ｉ，ｊ）∈Ｓであり、Ｓは、セット｛（ｘ，ｙ）｜（ｘ∈｛１，２，．．．，Ｌ｝，ｙ∈｛１，２，．．．，Ｒ｝）｝の空でないサブセットである請求項１３または１４に記載の方法。
【請求項１６】
前記第２の表示情報によって示される前記要素の前記量は、Σ(i,j)∈SＰi,jまたはΣ(i,j)∈S（Ｐi,j−１）を備え、Ｓは、セット｛（ｘ，ｙ）｜（ｘ∈｛１，２，．．．，Ｌ｝，ｙ∈｛１，２，．．．，Ｒ｝）｝の空でないサブセットである請求項１３または１４に記載の方法。
【請求項１７】
前記第２の表示情報によって示される前記要素の前記量は、Ｐqを備え、Ｐqは、ｊ＝ｑが与えられるときに前記要素の前記量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである請求項１３または１４に記載の方法。
【請求項１８】
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の位相であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の位相を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の振幅であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の振幅を取得するために使用される
請求項１３乃至１７のいずれか一項に記載の方法。
【請求項１９】
前記ネットワークデバイスによって、第４の表示情報を受信するステップであって、前記第４の表示情報は、前記ベクトルＤi,j中の前記Ｐi,j要素に対応するＷ2(1)（ｉ，ｊ），Ｗ2(2)（ｉ，ｊ），．．．，Ｗ2(K)（ｉ，ｊ）中の前記Ｐi,j要素の周波数領域位置を示すために使用される、ステップ
をさらに備える請求項１８に記載の方法。
【請求項２０】
前記行列Ｆi,jのＰi,jベクトルは互いに直交する請求項１３乃至１７のいずれか一項に記載の方法。
【請求項２１】
前記ネットワークデバイスによって、第５の表示情報を受信するステップであって、前記第５の表示情報は、前記行列Ｆi,jを示すために使用される、するステップ
をさらに備える請求項２０に記載の方法。
【請求項２２】
前記ネットワークデバイスによって、第６の表示情報を受信するステップであって、前記第６の表示情報は、
前記ベクトルＤi,jの量であって、（ｉ，ｊ）∈Ｓまたは（ｉ，ｊ）∈Ｓおよびｊ＝ｑが満たされ、Ｓは、前記セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量
を示すために使用される、ステップ
をさらに備える請求項１３乃至２１のいずれか一項に記載の方法。
【請求項２３】
前記第１の表示情報は、１つまたは複数のビットマップを備え、
各ビットマップは、前記ベクトルＤi,j中の前記Ｐi,j要素の位置を示すために使用される
請求項１３乃至２２のいずれか一項に記載の方法。
【請求項２４】
前記第３の表示情報は、チャネル状態情報  ＣＳＩであり、前記ＣＳＩは、
前記第１の表示情報と、ランクインジケータＲＩと、第１のコードワードに対応するチャネル品質インジケータＣＱＩとを備える第１の部分  パート１のＣＳＩと、
前記第２の表示情報を備える第２の部分  パート２のＣＳＩと
を備え、
前記パート１のＣＳＩと前記パート２のＣＳＩとは、独立して符号化される
請求項１３乃至２３のいずれか一項に記載の方法。
【請求項２５】
第３の表示情報を生成するように構成された処理モジュールであって、前記第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、
前記第３の表示情報は、第２の表示情報と第１の表示情報とを備え、
前記第２の表示情報は、ベクトルＤi,j中のＰi,j要素を示すために使用され、前記ベクトルＤi,jと行列Ｆi,jとは、Ｖi,j＝Ｆi,j×Ｄi,jを満たし、前記ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、前記行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、
前記第１の表示情報は、前記第２の表示情報によって示される前記要素の量を示すために使用される、処理モジュールと、
前記第３の表示情報に基づいてダウンリンクデータを送信するように構成された送信モジュールと
を備える通信装置。
【請求項２６】
前記ベクトルＶi,jがＷ2(1)（ｉ，ｊ），Ｗ2(2)（ｉ，ｊ），．．．，Ｗ2(K)（ｉ，ｊ）に対応することは、
Ｖi,jが、Ｗ2(1)（ｉ，ｊ），Ｗ2(2)（ｉ，ｊ），．．．，Ｗ2(K)（ｉ，ｊ）からなる列ベクトルであること、または
Ｖi,jが、Ｗ2(1)（ｉ，ｊ），Ｗ2(2)（ｉ，ｊ），．．．，Ｗ2(K)（ｉ，ｊ）の振幅からなる列ベクトルであること、または
Ｖi,jが、Ｗ2(1)（ｉ，ｊ），Ｗ2(2)（ｉ，ｊ），．．．，Ｗ2(K)（ｉ，ｊ）の位相からなる列ベクトルであること
を備える請求項２５に記載の通信装置。
【請求項２７】
前記第２の表示情報によって示される前記要素の前記量は、Ｐi,jまたはＰi,j−１を備え、（ｉ，ｊ）∈Ｓであり、Ｓは、セット｛（ｘ，ｙ）｜（ｘ∈｛１，２，．．．，Ｌ｝，ｙ∈｛１，２，．．．，Ｒ｝）｝の空でないサブセットである請求項２５または２６に記載の通信装置。
【請求項２８】
前記第２の表示情報によって示される前記要素の前記量は、Σ(i,j)∈SＰi,jまたはΣ(i,j)∈S（Ｐi,j−１）を備え、Ｓは、セット｛（ｘ，ｙ）｜（ｘ∈｛１，２，．．．，Ｌ｝，ｙ∈｛１，２，．．．，Ｒ｝）｝の空でないサブセットである請求項２５または２６に記載の通信装置。
【請求項２９】
前記第２の表示情報によって示される前記要素の前記量は、Ｐqを備え、Ｐqは、ｊ＝ｑが与えられるときに前記要素の前記量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである請求項２５または２６に記載の通信装置。
【請求項３０】
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の位相であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の位相を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の振幅であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の振幅を取得するために使用される請求項２５乃至２９のいずれか一項に記載の通信装置。
【請求項３１】
前記送信モジュールは、
第４の表示情報を送信するようにさらに構成され、前記第４の表示情報は、前記ベクトルＤi,j中の前記Ｐi,j要素に対応するＷ2(1)（ｉ，ｊ），Ｗ2(2)（ｉ，ｊ），．．．，Ｗ2(K)（ｉ，ｊ）中の前記Ｐi,j要素の周波数領域位置を示すために使用される請求項３０に記載の通信装置。
【請求項３２】
前記行列Ｆi,jのＰi,jベクトルは互いに直交する請求項２５乃至２９のいずれか一項に記載の通信装置。
【請求項３３】
前記送信モジュールは、
第５の表示情報を送信するようにさらに構成され、前記第５の表示情報は、前記行列Ｆi,jを示すために使用される請求項３２に記載の通信装置。
【請求項３４】
前記送信モジュールは、
第６の表示情報を送信するようにさらに構成され、前記第６の表示情報は、
前記ベクトルＤi,jの量であって、（ｉ，ｊ）∈Ｓまたは（ｉ，ｊ）∈Ｓおよびｊ＝ｑが満たされ、Ｓは、前記セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量
を示すために使用される請求項２５乃至３３のいずれか一項に記載の通信装置。
【請求項３５】
前記第１の表示情報は、１つまたは複数のビットマップを備え、
各ビットマップは、前記ベクトルＤi,j中の前記Ｐi,j要素の位置を示すために使用される
請求項２５乃至３４のいずれか一項に記載の通信装置。
【請求項３６】
前記第３の表示情報は、チャネル状態情報  ＣＳＩであり、前記ＣＳＩは、
前記第１の表示情報と、ランクインジケータＲＩと、第１のコードワードに対応するチャネル品質インジケータＣＱＩとを備える第１の部分  パート１のＣＳＩと、
前記第２の表示情報を備える第２の部分  パート２のＣＳＩと
を備え、
前記パート１のＣＳＩと前記パート２のＣＳＩとは、独立して符号化される
請求項２５乃至３５のいずれか一項に記載の通信装置。
【請求項３７】
第３の表示情報を受信するように構成された受信モジュールであって、前記第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、
前記第３の表示情報は、第２の表示情報と第１の表示情報とを備え、
前記第２の表示情報は、ベクトルＤi,j中のＰi,j要素を示すために使用され、前記ベクトルＤi,jと行列Ｆi,jとは、Ｖi,j＝Ｆi,j×Ｄi,jを満たし、前記ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、前記行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、
前記第１の表示情報は、前記第２の表示情報によって示される前記要素の量を示すために使用される、受信モジュールと、
前記第３の表示情報に基づいてダウンリンクデータを送信するように構成された処理モジュールと
を備える通信装置。
【請求項３８】
前記ベクトルＶi,jがＷ2(1)（ｉ，ｊ），Ｗ2(2)（ｉ，ｊ），．．．，Ｗ2(K)（ｉ，ｊ）に対応することは、
Ｖi,jが、Ｗ2(1)（ｉ，ｊ），Ｗ2(2)（ｉ，ｊ），．．．，Ｗ2(K)（ｉ，ｊ）からなる列ベクトルであること、または
Ｖi,jが、Ｗ2(1)（ｉ，ｊ），Ｗ2(2)（ｉ，ｊ），．．．，Ｗ2(K)（ｉ，ｊ）の振幅からなる列ベクトルであること、または
Ｖi,jが、Ｗ2(1)（ｉ，ｊ），Ｗ2(2)（ｉ，ｊ），．．．，Ｗ2(K)（ｉ，ｊ）の位相からなる列ベクトルであること
を備える請求項３７に記載の通信装置。
【請求項３９】
前記第２の表示情報によって示される前記要素の前記量は、Ｐi,jまたはＰi,j−１を備え、（ｉ，ｊ）∈Ｓであり、Ｓは、セット｛（ｘ，ｙ）｜（ｘ∈｛１，２，．．．，Ｌ｝，ｙ∈｛１，２，．．．，Ｒ｝）｝の空でないサブセットである請求項３７または３８に記載の通信装置。
【請求項４０】
前記第２の表示情報によって示される前記要素の前記量は、Σ(i,j)∈SＰi,jまたはΣ(i,j)∈S（Ｐi,j−１）を備え、Ｓは、セット｛（ｘ，ｙ）｜（ｘ∈｛１，２，．．．，Ｌ｝，ｙ∈｛１，２，．．．，Ｒ｝）｝の空でないサブセットである請求項３７または３８に記載の通信装置。
【請求項４１】
前記第２の表示情報によって示される前記要素の前記量は、Ｐqを備え、Ｐqは、ｊ＝ｑが与えられるときに前記要素の前記量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである請求項３７または３８に記載の通信装置。
【請求項４２】
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の位相であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の位相を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の振幅であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の振幅を取得するために使用される
請求項３７乃至４１のいずれか一項に記載の通信装置。
【請求項４３】
第４の表示情報を受信するステップであって、前記第４の表示情報は、前記ベクトルＤi,j中の前記Ｐi,j要素に対応するＷ2(1)（ｉ，ｊ），Ｗ2(2)（ｉ，ｊ），．．．，Ｗ2(K)（ｉ，ｊ）中の前記Ｐi,j要素の周波数領域位置を示すために使用される、ステップ
をさらに備える請求項４２に記載の通信装置。
【請求項４４】
前記行列Ｆi,jのＰi,jベクトルは互いに直交する請求項３７乃至４１のいずれか一項に記載の通信装置。
【請求項４５】
前記ネットワークデバイスによって、第５の表示情報を受信するステップであって、前記第５の表示情報は、前記行列Ｆi,jを示すために使用される、するステップ
をさらに備える請求項４４に記載の通信装置。
【請求項４６】
前記ネットワークデバイスによって、第６の表示情報を受信するステップであって、前記第６の表示情報は、
前記ベクトルＤi,jの量であって、（ｉ，ｊ）∈Ｓまたは（ｉ，ｊ）∈Ｓおよびｊ＝ｑが満たされ、Ｓは、前記セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量
を示すために使用される、ステップ
をさらに備える請求項３７乃至４５のいずれか一項に記載の通信装置。
【請求項４７】
前記第１の表示情報は、１つまたは複数のビットマップを備え、
各ビットマップは、前記ベクトルＤi,j中の前記Ｐi,j要素の位置を示すために使用される
請求項３７乃至４６のいずれか一項に記載の通信装置。
【請求項４８】
前記第３の表示情報は、チャネル状態情報  ＣＳＩであり、前記ＣＳＩは、
前記第１の表示情報と、ランクインジケータＲＩと、第１のコードワードに対応するチャネル品質インジケータＣＱＩとを備える第１の部分  パート１のＣＳＩと、
前記第２の表示情報を備える第２の部分  パート２のＣＳＩと
を備え、
前記パート１のＣＳＩと前記パート２のＣＳＩとは、独立して符号化される
請求項３７乃至４７のいずれか一項に記載の通信装置。
【請求項４９】
トランシーバと、プロセッサと、メモリと、バスとを備える通信装置であって、前記トランシーバと、前記プロセッサと、前記メモリとは、前記バスに接続され、前記メモリは、プログラム命令を記憶し、前記プロセッサは、前記プログラム命令を実行して請求項１乃至２４のいずれか一項に記載の方法を実行する通信装置。
【請求項５０】
コンピュータ可読記憶媒体であって、前記コンピュータ可読記憶媒体は、コンピュータプログラムを記憶し、前記コンピュータプログラムがコンピュータ上で実行されるとき、前記コンピュータは、請求項１乃至２４のいずれか一項に記載の方法を実行することが可能になる、コンピュータ可読記憶媒体。
【請求項５１】
命令を含むコンピュータプログラム製品であって、前記命令がコンピュータ上で実行されるとき、前記コンピュータは、請求項１乃至２４のいずれか一項に記載の方法を実行することが可能になる、コンピュータプログラム製品。
【発明の詳細な説明】
【技術分野】
【０００１】
本出願は、通信技術の分野に関し、詳細には、プリコーディング行列表示方法、通信装置、および記憶媒体に関する。
【背景技術】
【０００２】
ロングタームエボリューション（Ｌｏｎｇ  Ｔｅｒｍ  Ｅｖｏｌｕｔｉｏｎ、ＬＴＥ）システムでは、基地局デバイスは、端末デバイスによって報告されたチャネル状態情報（Ｃｈａｎｎｅｌ  Ｓｔａｔｅ  Ｉｎｆｏｒｍａｔｉｏｎ、ＣＳＩ）を受信する。ＣＳＩは、プリコーディング行列インジケータＰＭＩを含み、ＰＭＩは、基地局デバイスに、端末デバイスによって選択されたチャネルプリコーディング行列（Ｐｒｅｃｏｄｉｎｇ  Ｍａｔｒｉｘ、ＰＭ）を示すために使用される。基地局デバイスは、ＰＭＩに従ってプリコーディング行列を生成し、プリコーディング行列を使用することによって基地局デバイスのアンテナ上でダウンリンクデータを送信する。
【０００３】
端末デバイスは、基地局デバイスにＣＳＩを報告し、ここで、ＣＳＩは、第１の部分のパート１のＣＳＩと第２の部分のパート２のＣＳＩとの２つの部分に分割される。パート１のＣＳＩは、ランクインジケータ（Ｒａｎｋ  Ｉｎｄｉｃａｔｉｏｎ、ＲＩ）と、第１のコードワードのチャネル品質インジケータ（Ｃｈａｎｎｅｌ  Ｑｕａｌｉｔｙ  Ｉｎｄｉｃａｔｏｒ、ＣＱＩ）と、Ｗ2中の非ゼロ広帯域振幅係数の量とを含む。パート２のＣＳＩは、Ｗ1の表示情報と、広帯域振幅とＷ2中の非ゼロ広帯域振幅とに対応するサブバンド振幅と、Ｗ2中の非ゼロ広帯域振幅に対応するサブバンド位相とを報告するために使用される。さらに、パート１のＣＳＩとパート２のＣＳＩとは、独立して符号化される。端末デバイスによって報告されるＣＳＩでは、パート１のＣＳＩ中のビットの量は固定されており、パート２のＣＳＩ中のビットの量は変数であり、パート１のＣＳＩ中のビットの量は、パート１のＣＳＩ中のＲＩとＷ2中の非ゼロ広帯域振幅係数の量とに基づいて決定されることが可能である。基地局は、パート１のＣＳＩ中の情報に基づいてパート２のＣＳＩの情報ビットを復調し得る。
【０００４】
しかしながら、ＣＳＩ圧縮技術では、端末デバイスは、各Ｗ2中の係数に対して２次フィルタリングを実行した後に報告を実行する。したがって、既存のＣＳＩ報告方式を通して、パート２のＣＳＩ中のビットの量は、パート１のＣＳＩ中で報告されるＷ2中の非ゼロ広帯域振幅係数の量に基づいて決定されることができず、したがって、基地局は、パート１のＣＳＩ中の情報に基づいてパート２のＣＳＩの情報ビットを復調することができず、それによってデータ伝送に影響を及ぼす。
【発明の概要】
【０００５】
本出願は、異常なデータ伝送を回避するためにプリコーディング行列中で必要な復調情報を報告するプリコーディング行列表示方法、通信装置、および記憶媒体を提供する。
【０００６】
第１の態様によれば、本出願は、プリコーディング行列表示方法を提供する。本方法は、以下を含む。端末デバイスは、第３の表示情報を生成し、第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、第３の表示情報は、第２の表示情報と第１の表示情報とを含み、第２の表示情報は、ベクトルＤi,j中のＰi,j要素を示すために使用され、ベクトルＤi,jと行列Ｆi,jとは、Ｖi,j＝Ｆi,j×Ｄi,jを満たし、ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、第１の表示情報は、第２の表示情報によって示される要素の量を示すために使用され、端末デバイスは、第３の表示情報を送信する。
【０００７】
この実施形態において提供される解決策によれば、プリコーディング行列中で報告される要素の量が報告され、したがって、第３の表示情報を受信するネットワークデバイスは、情報に基づいてＣＳＩを復号することができ、端末デバイスは、チャネル状態に基づいて報告された要素の量を動的に調整することができる。これは、ＣＳＩ報告に必要なリソースオーバーヘッドを低減する。
【０００８】
可能な設計では、ベクトルＶi,jは、Ｗ2(1)（ｉ，ｊ），Ｗ2(2)（ｉ，ｊ），．．．，Ｗ2(K)（ｉ，ｊ）に対応することは、Ｖi,jは、Ｗ2(1)（ｉ，ｊ），Ｗ2(2)（ｉ，ｊ），．．．，Ｗ2(K)（ｉ，ｊ）を含む列ベクトルであること、またはＶi,jは、Ｗ2(1)（ｉ，ｊ），Ｗ2(2)（ｉ，ｊ），．．．，Ｗ2(K)（ｉ，ｊ）の振幅を含む列ベクトルであること、またはＶi,jは、Ｗ2(1)（ｉ，ｊ），Ｗ2(2)（ｉ，ｊ），．．．，Ｗ2(K)（ｉ，ｊ）の位相を含む列ベクトルであることを含む。ベクトルＶi,jは、
【０００９】
【数１】
2022501931.tif 000003
【００１０】
として表され得、ここで、
【００１１】
【数２】
2022501931.tif 000004
【００１２】
は、Ｗ2(k)（ｉ，ｊ）であるか、またはＷ2(k)（ｉ，ｊ）の振幅であるか、またはＷ2(k)（ｉ，ｊ）の位相である。
【００１３】
可能な設計では、第２の表示情報によって示される要素の量は、Ｐi,jまたはＰi,j−１を含み、（ｉ，ｊ）∈Ｓであり、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【００１４】
セットＳは、端末デバイスによって報告される必要があるベクトルＤi,j中のｉおよびｊの値の範囲を表す。行列Ｗ2(1)，Ｗ2(2)，．．．，Ｗ2(K)の各行列がＬ個の行とＲ個の列とをもつ行列であることに留意されたい。しかしながら、Ｋ個のＬ×Ｒの行列では、いくつかの要素の振幅は０であり、端末デバイスは、振幅が０である要素に対応するＤi,jを報告しないことがある。したがって、ｉおよびｊの値は、セット｛（ｘ，ｙ）｜（ｘ∈｛１，２，．．．，Ｌ｝，ｙ∈｛１，２，．．．，Ｒ｝）｝の空でないサブセットである。｛（ｘ，ｙ）｜（ｘ∈｛１，２，．．．，Ｌ｝，ｙ∈｛１，２，．．．，Ｒ｝）｝中の（ｘ，ｙ）の値セットは、（１，１），（１，２），．．．，（１，Ｒ），（２，１），（２，２），．．．，（２，Ｒ），．．．，（Ｌ，１），（Ｌ，２），．．．，（Ｌ，Ｒ）である。
【００１５】
この実施形態において提供される解決策によれば、各ベクトルＤi,j中の要素の量が報告され、したがって、プリコーディング行列中の報告される要素の量が示され、それによって、異常なデータ伝送を回避する。
【００１６】
可能な設計では、第２の表示情報によって示される要素の量は、Σ(i,j)∈SＰi,jまたはΣ(i,j)∈S（Ｐi,j−１）を含み、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【００１７】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態において提供される解決策によれば、プリコーディング行列中の報告される要素の総量が直接示され、したがって、端末デバイスによって報告されるデータの量は、ネットワークデバイスがＣＳＩを復調するということに基づいて低減されることが可能である。
【００１８】
可能な設計では、第２の表示情報によって示される要素の量は、Ｐqを含み、ここで、Ｐqは、ｊ＝ｑが与えられるときに要素の量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである。
【００１９】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態にいて提供される解決策では、各ｊは、プリコーディング行列のレイヤに対応し、したがって、本解決策は、各レイヤに対応する報告される要素の量を報告するために端末デバイスによって使用される。この階層報告方式は、ネットワークデバイスのＣＳＩ復調レートを改善するのに役立つ。
【００２０】
可能な設計では、ベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の位相であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の位相を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の振幅であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の振幅を取得するために使用される。
【００２１】
この場合、本方法は、以下をさらに含む。端末デバイスは、第４の表示情報を送信し、第４の表示情報は、ベクトルＤi,j中のＰi,j要素に対応するＷ2(1)（ｉ，ｊ），Ｗ2(2)（ｉ，ｊ），．．．，Ｗ2(K)（ｉ，ｊ）中のＰi,j要素の周波数領域位置を示すために使用される。
【００２２】
この実施形態において提供される解決策によれば、Ｗ2(k)中のすべての係数は報告される必要がなく、Ｗ2(k)の周波数領域位置を表すことができる変曲点にある要素だけが報告される必要があり、それによって、端末デバイスによって報告されるデータの量を大幅に低減する。
【００２３】
別の可能な設計では、行列Ｆi,jのＰi,jベクトルは互いに直交する。
【００２４】
この場合、本方法は、以下をさらに含む。端末デバイスは、第５の表示情報を送信し、第５の表示情報は、行列Ｆi,jを示すために使用される。
【００２５】
この実施形態において提供される解決策によれば、行列変換が、周波数領域中の係数に対して実行され得、比較的大きい値をもつ限定された量のサンプルポイントが報告のために行列変換の後に取得された結果から選択される。このようにして、端末デバイスによって報告されるデータの量が低減される。
【００２６】
別の可能な設計では、本方法は、以下をさらに含む。端末デバイスは、第６の表示情報を送信し、第６の表示情報は、ベクトルＤi,jの量であって、（ｉ，ｊ）∈Ｓまたは（ｉ，ｊ）∈Ｓおよびｊ＝ｑが満たされ、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量を示すために使用される。セット｛（ｘ，ｙ）｜（ｘ∈｛１，２，．．．，Ｌ｝，ｙ∈｛１，２，．．．，Ｒ｝）｝の意味については、上記の段落において説明されている。
【００２７】
別の可能な設計では、第１の表示情報は、１つまたは複数のビットマップを含み、各ビットマップは、ベクトルＤi,j中のＰi,j要素の位置を示すために使用される。
【００２８】
この実施形態では、第１の表示情報は、１つのビットマップを含み、したがって、ビットマップは、Ｋ個の位置中のすべての報告されるベクトルＤi,j中の要素の位置情報を示すために使用される。代替として、第１の表示情報は、Ｒ個のビットマップを含み、ビットマップは、すべての報告されるベクトルＤi,j中でｊの値が１，２，．．．，またはＲであるベクトルＤi,j中の要素のＫ個の位置中の位置情報を示すために使用される。代替として、第１の表示情報は、Ｌ×Ｒ個のまたは（Ｌ−１）×Ｒ個のビットマップを含み、ビットマップは、Ｄi,j中にあり、Ｗ2中の各要素またはＷ2の各列中で最大振幅に対応する要素以外の各要素に対応する要素のＫ個の位置中の位置情報を示すために使用される。
【００２９】
この実施形態において提供される解決策によれば、報告される要素の量が示されるとき、報告される要素の位置が示され得、報告される要素の位置は、別の方式で示される必要がない。この方式は、比較的高い柔軟性とスケーラビリティとを有する。
【００３０】
別の可能な設計では、第３の表示情報は、チャネル状態情報ＣＳＩであり、ＣＳＩは、第１の表示情報と、ランクインジケータＲＩと、第１のコードワードに対応するチャネル品質インジケータＣＱＩとを含む第１の部分パート１のＣＳＩと、第２の表示情報を含む第２の部分パート２のＣＳＩとを含み、パート１のＣＳＩとパート２のＣＳＩとは、独立して符号化される。このようにして、パート１のＣＳＩは、パート２のＣＳＩ中のビットの量を示し得、したがって、第３の表示情報を受信するネットワークデバイスは、情報に基づいてＣＳＩを復号することができ、それによって、異常なデータ伝送を回避する。
【００３１】
第２の態様によれば、本出願は、プリコーディング行列表示方法を提供する。本方法は、以下を含む。ネットワークデバイスは、第３の表示情報を受信し、第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、第３の表示情報は、第２の表示情報と第１の表示情報とを含み、第２の表示情報は、ベクトルＤi,j中のＰi,j要素を示すために使用され、ベクトルＤi,jと行列Ｆi,jとは、Ｖi,j＝Ｆi,j×Ｄi,jを満たし、ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、第１の表示情報は、第２の表示情報によって示される要素の量を示すために使用され、ネットワークデバイスは、第３の表示情報に基づいてダウンリンクデータを送信する。
【００３２】
この実施形態において提供される解決策によれば、プリコーディング行列中で報告される要素の量が報告され、したがって、第３の表示情報を受信するネットワークデバイスは、情報に基づいてＣＳＩを復号することができ、端末デバイスは、チャネル状態に基づいて報告された要素の量を動的に調整することができる。これは、ＣＳＩ報告に必要なリソースオーバーヘッドを低減する。
【００３３】
可能な設計では、ベクトルＶi,jは、Ｗ2(1)（ｉ，ｊ），Ｗ2(2)（ｉ，ｊ），．．．，Ｗ2(K)（ｉ，ｊ）に対応することは、Ｖi,jは、Ｗ2(1)（ｉ，ｊ），Ｗ2(2)（ｉ，ｊ），．．．，Ｗ2(K)（ｉ，ｊ）を含む列ベクトルであること、またはＶi,jは、Ｗ2(1)（ｉ，ｊ），Ｗ2(2)（ｉ，ｊ），．．．，Ｗ2(K)（ｉ，ｊ）の振幅を含む列ベクトルであること、またはＶi,jは、Ｗ2(1)（ｉ，ｊ），Ｗ2(2)（ｉ，ｊ），．．．，Ｗ2(K)（ｉ，ｊ）の位相を含む列ベクトルであることを含む。ベクトルＶi,jは、
【００３４】
【数３】
2022501931.tif 000005
【００３５】
として表され得、ここで、
【００３６】
【数４】
2022501931.tif 000006
【００３７】
は、Ｗ2(k)（ｉ，ｊ）であるか、またはＷ2(k)（ｉ，ｊ）の振幅であるか、またはＷ2(k)（ｉ，ｊ）の位相である。
【００３８】
可能な設計では、第２の表示情報によって示される要素の量は、Ｐi,jまたはＰi,j−１を含み、（ｉ，ｊ）∈Ｓであり、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【００３９】
セットＳは、端末デバイスによって報告される必要があるベクトルＤi,j中のｉおよびｊの値の範囲を表す。行列Ｗ2(1)，Ｗ2(2)，．．．，Ｗ2(K)の各行列がＬ個の行とＲ個の列とをもつ行列であることに留意されたい。しかしながら、Ｋ個のＬ×Ｒの行列では、いくつかの要素の振幅は０であり、端末デバイスは、振幅が０である要素に対応するＤi,jを報告しないことがある。したがって、ｉおよびｊの値は、セット｛（ｘ，ｙ）｜（ｘ∈｛１，２，．．．，Ｌ｝，ｙ∈｛１，２，．．．，Ｒ｝）｝の空でないサブセットである。｛（ｘ，ｙ）｜（ｘ∈｛１，２，．．．，Ｌ｝，ｙ∈｛１，２，．．．，Ｒ｝）｝中の（ｘ，ｙ）の値セットは、（１，１），（１，２），．．．，（１，Ｒ），（２，１），（２，２），．．．，（２，Ｒ），．．．，（Ｌ，１），（Ｌ，２），．．．，（Ｌ，Ｒ）である。
【００４０】
この実施形態において提供される解決策によれば、各ベクトルＤi,j中の要素の量が報告され、したがって、プリコーディング行列中の報告される要素の量が示され、それによって、異常なデータ伝送を回避する。
【００４１】
可能な設計では、第２の表示情報によって示される要素の量は、Σ(i,j)∈SＰi,jまたはΣ(i,j)∈S（Ｐi,j−１）を含み、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【００４２】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態において提供される解決策によれば、プリコーディング行列中の報告される要素の総量が直接示され、したがって、端末デバイスによって報告されるデータの量は、ネットワークデバイスがＣＳＩを復調することができるということに基づいて低減されることが可能である。
【００４３】
可能な設計では、第２の表示情報によって示される要素の量は、Ｐqを含み、ここで、Ｐqは、ｊ＝ｑが与えられるときに要素の量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである。
【００４４】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態にいて提供される解決策では、各ｊは、プリコーディング行列のレイヤに対応し、したがって、本解決策は、各レイヤに対応する報告される要素の量を報告するために端末デバイスによって使用される。この階層報告方式は、ネットワークデバイスのＣＳＩ復調レートを改善するのに役立つ。
【００４５】
可能な設計では、ベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の位相であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の位相を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の振幅であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の振幅を取得するために使用される。
【００４６】
この場合、本方法は、以下をさらに含む。ネットワークデバイスは、第４の表示情報を受信し、第４の表示情報は、ベクトルＤi,j中のＰi,j要素に対応するＷ2(1)（ｉ，ｊ），Ｗ2(2)（ｉ，ｊ），．．．，Ｗ2(K)（ｉ，ｊ）中のＰi,j要素の周波数領域位置を示すために使用される。
【００４７】
この実施形態において提供される解決策によれば、Ｗ2(k)中のすべての係数は報告される必要がなく、Ｗ2(k)の周波数領域位置を表すことができる変曲点にある要素だけが報告される必要があり、それによって、端末デバイスによって報告されるデータの量を大幅に低減する。
【００４８】
別の可能な設計では、行列Ｆi,jのＰi,jベクトルは互いに直交する。
【００４９】
この場合、本方法は、以下をさらに含む。ネットワークデバイスは、第５の表示情報を受信し、第５の表示情報は、行列Ｆi,jを示すために使用される。
【００５０】
この実施形態において提供される解決策によれば、行列変換が、周波数領域中の係数に対して実行され得、比較的大きい値をもつ限定された量のサンプルポイントが報告のために行列変換の後に取得された結果から選択される。このようにして、端末デバイスによって報告されるデータの量が低減される。
【００５１】
別の可能な設計では、本方法は、以下をさらに含む。ネットワークデバイスは、第６の表示情報を受信し、第６の表示情報は、ベクトルＤi,jの量であって、（ｉ，ｊ）∈Ｓまたは（ｉ，ｊ）∈Ｓおよびｊ＝ｑが満たされ、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量を示すために使用される。セット｛（ｘ，ｙ）｜（ｘ∈｛１，２，．．．，Ｌ｝，ｙ∈｛１，２，．．．，Ｒ｝）｝の意味については、上記の段落において説明されている。
【００５２】
別の可能な設計では、第１の表示情報は、１つまたは複数のビットマップを含み、各ビットマップは、ベクトルＤi,j中のＰi,j要素の位置を示すために使用される。
【００５３】
この実施形態では、第１の表示情報は、１つのビットマップを含み、したがって、ビットマップは、Ｋ個の位置中のすべての報告されるベクトルＤi,j中の要素の位置情報を示すために使用される。代替として、第１の表示情報は、Ｒ個のビットマップを含み、ビットマップは、すべての報告されるベクトルＤi,j中でｊの値が１，２，．．．，またはＲであるベクトルＤi,j中の要素のＫ個の位置中の位置情報を示すために使用される。代替として、第１の表示情報は、Ｌ×Ｒ個のまたは（Ｌ−１）×Ｒ個のビットマップを含み、ビットマップは、Ｄi,j中にあり、Ｗ2中の各要素またはＷ2の各列中で最大振幅に対応する要素以外の各要素に対応する要素のＫ個の位置中の位置情報を示すために使用される。
【００５４】
この実施形態において提供される解決策によれば、報告される要素の量が示されるとき、報告される要素の位置が示され得、報告される要素の位置は、別の方式で示される必要がない。この方式は、比較的高い柔軟性とスケーラビリティとを有する。
【００５５】
別の可能な設計では、第３の表示情報は、チャネル状態情報ＣＳＩであり、ＣＳＩは、第１の表示情報と、ランクインジケータＲＩと、第１のコードワードに対応するチャネル品質インジケータＣＱＩとを含む第１の部分パート１のＣＳＩと、第２の表示情報を含む第２の部分パート２のＣＳＩとを含み、パート１のＣＳＩとパート２のＣＳＩとは、独立して符号化される。このようにして、パート１のＣＳＩは、パート２のＣＳＩ中のビットの量を示し得、したがって、第３の表示情報を受信するネットワークデバイスは、情報に基づいてＣＳＩを復号することができ、それによって、異常なデータ伝送を回避する。
【００５６】
第３の態様によれば、本出願は、処理モジュールと送信モジュールとを含む通信装置を提供する。処理モジュールは、第３の表示情報を生成するように構成され、第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、第３の表示情報は、第２の表示情報と第１の表示情報とを含み、第２の表示情報は、ベクトルＤi,j中のＰi,j要素を示すために使用され、ベクトルＤi,jと行列Ｆi,jとは、Ｖi,j＝Ｆi,j×Ｄi,jを満たし、ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、第１の表示情報は、第２の表示情報によって示される要素の量を示すために使用され、送信モジュールは、第３の表示情報を送信するように構成される。
【００５７】
この実施形態において提供される解決策によれば、プリコーディング行列中で報告される要素の量が報告され、したがって、第３の表示情報を受信するネットワークデバイスは、情報に基づいてＣＳＩを復号することができ、端末デバイスは、チャネル状態に基づいて報告された要素の量を動的に調整することができる。これは、ＣＳＩ報告に必要なリソースオーバーヘッドを低減する。
【００５８】
可能な設計では、ベクトルＶi,jは、Ｗ2(1)（ｉ，ｊ），Ｗ2(2)（ｉ，ｊ），．．．，Ｗ2(K)（ｉ，ｊ）に対応することは、Ｖi,jは、Ｗ2(1)（ｉ，ｊ），Ｗ2(2)（ｉ，ｊ），．．．，Ｗ2(K)（ｉ，ｊ）を含む列ベクトルであること、またはＶi,jは、Ｗ2(1)（ｉ，ｊ），Ｗ2(2)（ｉ，ｊ），．．．，Ｗ2(K)（ｉ，ｊ）の振幅を含む列ベクトルであること、またはＶi,jは、Ｗ2(1)（ｉ，ｊ），Ｗ2(2)（ｉ，ｊ），．．．，Ｗ2(K)（ｉ，ｊ）の位相を含む列ベクトルであることを含む。ベクトルＶi,jは、
【００５９】
【数５】
2022501931.tif 000007
【００６０】
として表され得、ここで、
【００６１】
【数６】
2022501931.tif 000008
【００６２】
は、Ｗ2(k)（ｉ，ｊ）であるか、またはＷ2(k)（ｉ，ｊ）の振幅であるか、またはＷ2(k)（ｉ，ｊ）の位相である。
【００６３】
可能な設計では、第２の表示情報によって示される要素の量は、Ｐi,jまたはＰi,j−１を含み、（ｉ，ｊ）∈Ｓであり、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【００６４】
セットＳは、端末デバイスによって報告される必要があるベクトルＤi,j中のｉおよびｊの値の範囲を表す。行列Ｗ2(1)，Ｗ2(2)，．．．，Ｗ2(K)の各行列がＬ個の行とＲ個の列とをもつ行列であることに留意されたい。しかしながら、Ｋ個のＬ×Ｒの行列では、いくつかの要素の振幅は０であり、端末デバイスは、振幅が０である要素に対応するＤi,jを報告しないことがある。したがって、ｉおよびｊの値は、セット｛（ｘ，ｙ）｜（ｘ∈｛１，２，．．．，Ｌ｝，ｙ∈｛１，２，．．．，Ｒ｝）｝の空でないサブセットである。｛（ｘ，ｙ）｜（ｘ∈｛１，２，．．．，Ｌ｝，ｙ∈｛１，２，．．．，Ｒ｝）｝中の（ｘ，ｙ）の値セットは、（１，１），（１，２），．．．，（１，Ｒ），（２，１），（２，２），．．．，（２，Ｒ），．．．，（Ｌ，１），（Ｌ，２），．．．，（Ｌ，Ｒ）である。
【００６５】
この実施形態において提供される解決策によれば、各ベクトルＤi,j中の要素の量が報告され、したがって、プリコーディング行列中の報告される要素の量が示され、それによって、異常なデータ伝送を回避する。
【００６６】
可能な設計では、第２の表示情報によって示される要素の量は、Σ(i,j)∈SＰi,jまたはΣ(i,j)∈S（Ｐi,j−１）を含み、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【００６７】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態において提供される解決策によれば、プリコーディング行列中の報告される要素の総量が直接示され、したがって、端末デバイスによって報告されるデータの量は、ネットワークデバイスがＣＳＩを復調することができるということに基づいて低減されることが可能である。
【００６８】
可能な設計では、第２の表示情報によって示される要素の量は、Ｐqを含み、ここで、Ｐqは、ｊ＝ｑが与えられるときに要素の量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである。
【００６９】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態にいて提供される解決策では、各ｊは、プリコーディング行列のレイヤに対応し、したがって、本解決策は、各レイヤに対応する報告される要素の量を報告するために端末デバイスによって使用される。この階層報告方式は、ネットワークデバイスのＣＳＩ復調レートを改善するのに役立つ。
【００７０】
可能な設計では、ベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の位相であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の位相を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の振幅であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の振幅を取得するために使用される。
【００７１】
この場合、送信モジュールは、第４の表示情報を送信するようにさらに構成され、第４の表示情報は、ベクトルＤi,j中のＰi,j要素に対応するＷ2(1)（ｉ，ｊ），Ｗ2(2)（ｉ，ｊ），．．．，Ｗ2(K)（ｉ，ｊ）中のＰi,j要素の周波数領域位置を示すために使用される。
【００７２】
この実施形態において提供される解決策によれば、Ｗ2(k)中のすべての係数は報告される必要がなく、Ｗ2(k)の周波数領域位置を表すことができる変曲点にある要素だけが報告される必要があり、それによって、端末デバイスによって報告されるデータの量を大幅に低減する。
【００７３】
別の可能な設計では、行列Ｆi,jのＰi,jベクトルは互いに直交する。
【００７４】
この場合、送信モジュールは、第５の表示情報を送信するようにさらに構成され、第５の表示情報は、行列Ｆi,jを示すために使用される。
【００７５】
この実施形態において提供される解決策によれば、行列変換が、周波数領域中の係数に対して実行され得、比較的大きい値をもつ限定された量のサンプルポイントが報告のために行列変換の後に取得された結果から選択される。このようにして、端末デバイスによって報告されるデータの量が低減される。
【００７６】
別の可能な設計では、送信モジュールは、第６の表示情報を送信するようにさらに構成され、第６の表示情報は、ベクトルＤi,jの量であって、（ｉ，ｊ）∈Ｓまたはｉ，ｊは、（ｉ，ｊ）∈Ｓおよびｊ＝ｋを満たし、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量を示すために使用される。セット｛（ｘ，ｙ）｜（ｘ∈｛１，２，．．．，Ｌ｝，ｙ∈｛１，２，．．．，Ｒ｝）｝の意味については、上記の段落において説明されている。
【００７７】
別の可能な設計では、第１の表示情報は、１つまたは複数のビットマップを含み、各ビットマップは、ベクトルＤi,j中のＰi,j要素の位置を示すために使用される。
【００７８】
この実施形態では、第１の表示情報は、１つのビットマップを含み、したがって、ビットマップは、Ｋ個の位置中のすべての報告されるベクトルＤi,j中の要素の位置情報を示すために使用される。代替として、第１の表示情報は、Ｒ個のビットマップを含み、ビットマップは、すべての報告されるベクトルＤi,j中でｊの値が１，２，．．．，またはＲであるベクトルＤi,j中の要素のＫ個の位置中の位置情報を示すために使用される。代替として、第１の表示情報は、Ｌ×Ｒ個のまたは（Ｌ−１）×Ｒ個のビットマップを含み、ビットマップは、Ｄi,j中にあり、Ｗ2中の各要素またはＷ2の各列中で最大振幅に対応する要素以外の各要素に対応する要素のＫ個の位置中の位置情報を示すために使用される。
【００７９】
この実施形態において提供される解決策によれば、報告される要素の量が示されるとき、報告される要素の位置が示され得、報告される要素の位置は、別の方式で示される必要がない。この方式は、比較的高い柔軟性とスケーラビリティとを有する。
【００８０】
別の可能な設計では、第３の表示情報は、チャネル状態情報ＣＳＩであり、ＣＳＩは、第１の表示情報と、ランクインジケータＲＩと、第１のコードワードに対応するチャネル品質インジケータＣＱＩとを含む第１の部分パート１のＣＳＩと、第２の表示情報を含む第２の部分パート２のＣＳＩとを含み、パート１のＣＳＩとパート２のＣＳＩとは、独立して符号化される。このようにして、パート１のＣＳＩは、パート２のＣＳＩ中のビットの量を示し得、したがって、第３の表示情報を受信するネットワークデバイスは、情報に基づいてＣＳＩを復号することができ、それによって、異常なデータ伝送を回避する。
【００８１】
第４の態様によれば、本出願は、受信モジュールと処理モジュールとを含む通信装置を提供する。受信モジュールは、第３の表示情報を受信するように構成され、第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、第３の表示情報は、第２の表示情報と第１の表示情報とを含み、第２の表示情報は、ベクトルＤi,j中のＰi,j要素を示すために使用され、ベクトルＤi,jと行列Ｆi,jとは、Ｖi,j＝Ｆi,j×Ｄi,jを満たし、ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、第１の表示情報は、第２の表示情報によって示される要素の量を示すために使用され、処理モジュールは、第３の表示情報に基づいてダウンリンクデータを送信するように構成される。
【００８２】
この実施形態において提供される解決策によれば、プリコーディング行列中で報告される要素の量が報告され、したがって、第３の表示情報を受信するネットワークデバイスは、情報に基づいてＣＳＩを復号することができ、端末デバイスは、チャネル状態に基づいて報告された要素の量を動的に調整することができる。これは、ＣＳＩ報告に必要なリソースオーバーヘッドを低減する。
【００８３】
可能な設計では、ベクトルＶi,jは、Ｗ2(1)（ｉ，ｊ），Ｗ2(2)（ｉ，ｊ），．．．，Ｗ2(K)（ｉ，ｊ）に対応することは、Ｖi,jは、Ｗ2(1)（ｉ，ｊ），Ｗ2(2)（ｉ，ｊ），．．．，Ｗ2(K)（ｉ，ｊ）を含む列ベクトルであること、またはＶi,jは、Ｗ2(1)（ｉ，ｊ），Ｗ2(2)（ｉ，ｊ），．．．，Ｗ2(K)（ｉ，ｊ）の振幅を含む列ベクトルであること、またはＶi,jは、Ｗ2(1)（ｉ，ｊ），Ｗ2(2)（ｉ，ｊ），．．．，Ｗ2(K)（ｉ，ｊ）の位相を含む列ベクトルであることを含む。ベクトルＶi,jは、
【００８４】
【数７】
2022501931.tif 000009
【００８５】
として表され得、ここで、
【００８６】
【数８】
2022501931.tif 000010
【００８７】
は、Ｗ2(k)（ｉ，ｊ）であるか、またはＷ2(k)（ｉ，ｊ）の振幅であるか、またはＷ2(k)（ｉ，ｊ）の位相である。
【００８８】
可能な設計では、第２の表示情報によって示される要素の量は、Ｐi,jまたはＰi,j−１を含み、（ｉ，ｊ）∈Ｓであり、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【００８９】
セットＳは、端末デバイスによって報告される必要があるベクトルＤi,j中のｉおよびｊの値の範囲を表す。行列Ｗ2(1)，Ｗ2(2)，．．．，Ｗ2(K)の各行列がＬ個の行とＲ個の列とをもつ行列であることに留意されたい。しかしながら、Ｋ個のＬ×Ｒの行列では、いくつかの要素の振幅は０であり、端末デバイスは、振幅が０である要素に対応するＤi,jを報告しないことがある。したがって、ｉおよびｊの値は、セット｛（ｘ，ｙ）｜（ｘ∈｛１，２，．．．，Ｌ｝，ｙ∈｛１，２，．．．，Ｒ｝）｝の空でないサブセットである。｛（ｘ，ｙ）｜（ｘ∈｛１，２，．．．，Ｌ｝，ｙ∈｛１，２，．．．，Ｒ｝）｝中の（ｘ，ｙ）の値セットは、（１，１），（１，２），．．．，（１，Ｒ），（２，１），（２，２），．．．，（２，Ｒ），．．．，（Ｌ，１），（Ｌ，２），．．．，（Ｌ，Ｒ）である。
【００９０】
この実施形態において提供される解決策によれば、各ベクトルＤi,j中の要素の量が報告され、したがって、プリコーディング行列中の報告される要素の量が示され、それによって、異常なデータ伝送を回避する。
【００９１】
可能な設計では、第２の表示情報によって示される要素の量は、Σ(i,j)∈SＰi,jまたはΣ(i,j)∈S（Ｐi,j−１）を含み、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【００９２】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態において提供される解決策によれば、プリコーディング行列中の報告される要素の総量が直接示され、したがって、端末デバイスによって報告されるデータの量は、ネットワークデバイスがＣＳＩを復調するということに基づいて低減されることが可能である。
【００９３】
可能な設計では、第２の表示情報によって示される要素の量は、Ｐqを含み、ここで、Ｐqは、ｊ＝ｑが与えられるときに要素の量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである。
【００９４】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態にいて提供される解決策では、各ｊは、プリコーディング行列のレイヤに対応し、したがって、本解決策は、各レイヤに対応する報告される要素の量を報告するために端末デバイスによって使用される。この階層報告方式は、ネットワークデバイスのＣＳＩ復調レートを改善するのに役立つ。
【００９５】
可能な設計では、ベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の位相であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の位相を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の振幅であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の振幅を取得するために使用される。
【００９６】
この場合、受信モジュールは、第４の表示情報を受信すようにさらに構成され、第４の表示情報は、ベクトルＤi,j中のＰi,j要素に対応するＷ2(1)（ｉ，ｊ），Ｗ2(2)（ｉ，ｊ），．．．，Ｗ2(K)（ｉ，ｊ）中のＰi,j要素の周波数領域位置を示すために使用される。
【００９７】
この実施形態において提供される解決策によれば、Ｗ2(k)中のすべての係数は報告される必要がなく、Ｗ2(k)の周波数領域位置を表すことができる変曲点にある要素だけが報告される必要があり、それによって、端末デバイスによって報告されるデータの量を大幅に低減する。
【００９８】
別の可能な設計では、行列Ｆi,jのＰi,jベクトルは互いに直交する。
【００９９】
この場合、受信モジュールは、第５の表示情報を受信するようにさらに構成され、第５の表示情報は、行列Ｆi,jを示すために使用される。
【０１００】
この実施形態において提供される解決策によれば、行列変換が、周波数領域中の係数に対して実行され得、比較的大きい値をもつ限定された量のサンプルポイントが報告のために行列変換の後に取得された結果から選択される。このようにして、端末デバイスによって報告されるデータの量が低減される。
【０１０１】
別の可能な設計では、受信モジュールは、第６の表示情報を受信するようにさらに構成され、第６の表示情報は、ベクトルＤi,jの量であって、（ｉ，ｊ）∈Ｓまたは（ｉ，ｊ）∈Ｓおよびｊ＝ｑが満たされ、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量を示すために使用される。セット｛（ｘ，ｙ）｜（ｘ∈｛１，２，．．．，Ｌ｝，ｙ∈｛１，２，．．．，Ｒ｝）｝の意味については、上記の段落において説明されている。
【０１０２】
別の可能な設計では、第１の表示情報は、１つまたは複数のビットマップを含み、各ビットマップは、ベクトルＤi,j中のＰi,j要素の位置を示すために使用される。
【０１０３】
この実施形態では、第１の表示情報は、１つのビットマップを含み、したがって、ビットマップは、Ｋ個の位置中のすべての報告されるベクトルＤi,j中の要素の位置情報を示すために使用される。代替として、第１の表示情報は、Ｒ個のビットマップを含み、ビットマップは、すべての報告されるベクトルＤi,j中でｊの値が１，２，．．．，またはＲであるベクトルＤi,j中の要素のＫ個の位置中の位置情報を示すために使用される。代替として、第１の表示情報は、Ｌ×Ｒ個のまたは（Ｌ−１）×Ｒ個のビットマップを含み、ビットマップは、Ｄi,j中にあり、Ｗ2中の各要素またはＷ2の各列中で最大振幅に対応する要素以外の各要素に対応する要素のＫ個の位置中の位置情報を示すために使用される。
【０１０４】
この実施形態において提供される解決策によれば、報告される要素の量が示されるとき、報告される要素の位置が示され得、報告される要素の位置は、別の方式で示される必要がない。この方式は、比較的高い柔軟性とスケーラビリティとを有する。
【０１０５】
別の可能な設計では、第３の表示情報は、チャネル状態情報ＣＳＩであり、ＣＳＩは、第１の表示情報と、ランクインジケータＲＩと、第１のコードワードに対応するチャネル品質インジケータＣＱＩとを含む第１の部分パート１のＣＳＩと、第２の表示情報を含む第２の部分パート２のＣＳＩとを含み、パート１のＣＳＩとパート２のＣＳＩとは、独立して符号化される。このようにして、パート１のＣＳＩは、パート２のＣＳＩ中のビットの量を示し得、したがって、第３の表示情報を受信するネットワークデバイスは、情報に基づいてＣＳＩを復号することができ、それによって、異常なデータ伝送を回避する。
【０１０６】
第５の態様によれば、本出願は、トランシーバと、プロセッサと、メモリと、バスとを含む通信装置を提供する。トランシーバと、プロセッサと、メモリとは、バスに接続され、メモリは、プログラム命令を記憶し、プロセッサは、第１の態様または第２の態様に従って方法を実行するためにプログラム命令を実行する。
【０１０７】
第６の態様によれば、本出願は、コンピュータ可読記憶媒体を提供する。コンピュータ可読記憶媒体は、コンピュータプログラムを記憶し、コンピュータプログラムがコンピュータ上で実行されるとき、コンピュータは、第１の態様または第２の態様に従って方法を実行することが可能になる。
【０１０８】
第７の態様によれば、本出願は、命令を含むコンピュータプログラム製品を提供する。命令がコンピュータ上で実行されるとき、コンピュータは、第１の態様または第２の態様に従って方法を実行することが可能になる。
【０１０９】
可能な設計では、第７の態様におけるプログラムの全部または一部は、プロセッサとともにカプセル化される記憶媒体中に記憶され得るか、または一部または全部のプログラムは、プロセッサとともにカプセル化されないメモリ中に記憶され得る。
【０１１０】
上記の態様では、第３の表示情報が生成され、したがって、第２の表示情報によって示される報告される要素の量は、第３の表示情報中で第１の表示情報を通して取得されることが知られることが可能である。第３の表示情報を受信した後に、ネットワークデバイスは、第１の表示情報によって示される量に基づいてパート２のＣＳＩを復調することができ、したがって、通常のデータ伝送が実装されることが可能である。
【図面の簡単な説明】
【０１１１】
【図１】本出願の一実施形態による適用例シナリオの概略図である。
【図２】本出願によるプリコーディング行列表示方法の概略フローチャートである。
【図３】本出願による各ベクトルＤi,jの位相とサブバンド番号との間の周波数領域関係の曲線である。
【図４】本出願によるＩＤＦＴ変換がＷ2(k)中の係数に対して実行された後に取得される時間領域関係の曲線である。
【図５】本出願によるプリコーディング行列表示方法の概略対話フローチャートである。
【図６】本出願による通信装置の構造ブロック図である。
【図７】本出願による別の通信装置の概略構造図である。
【図８】本出願による別の通信装置の概略構造図である。
【図９】本出願による別の通信装置の概略構造図である。
【図１０】本出願による別の通信装置の概略構造図である。
【図１１】本出願による別の通信装置の概略構造図である。
【発明を実施するための形態】
【０１１２】
本出願の実装において使用される用語は、本出願の特定の実施形態について説明するために使用されるものにすぎず、本出願を限定するものではない。
【０１１３】
本出願の実施形態は、様々なタイプの通信システムにおいて使用され得る。図１は、本出願の一実施形態による適用例シナリオの概略図である。図１に示されているように、通信システムは、主に、ネットワークデバイス１１と端末デバイス１２とを含む。
【０１１４】
（１）ネットワークデバイス１１は、ネットワーク側のデバイス、たとえば、ワイヤレスフィデリティ（Ｗｉｒｅｌｅｓｓ−Ｆｉｄｅｌｉｔｙ、Ｗｉ−Ｆｉ）アクセスポイントＡＰ、５ＧのｇＮＢ、スモールセル、およびマイクロセルなどの次世代通信基地局、もしくは送受信ポイント（Ｔｒａｎｓｍｉｓｓｉｏｎ  Ｒｅｃｅｐｔｉｏｎ  Ｐｏｉｎｔ、ＴＲＰ）であり得るか、または中継局、アクセスポイント、車載デバイス、ウェアラブルデバイスなどであり得る。この実施形態では、異なる通信標準の通信システム中の基地局は異なる。区別のために、４Ｇ通信システム中の基地局は、ＬＴＥ  ｅＮＢと呼ばれ、５Ｇ通信システム中の基地局は、ＮＲ  ｇＮＢと呼ばれ、４Ｇ通信システムと５Ｇ通信システムとの両方をサポートする基地局は、ｅＬＴＥ  ｅＮＢと呼ばれる。これらの名前は、区別を容易にするためのものにすぎず、限定のためのものではない。
【０１１５】
（２）端末デバイス１２は、ユーザ機器（Ｕｓｅｒ  Ｅｑｕｉｐｍｅｎｔ、ＵＥ）または顧客構内機器（Ｃｕｓｔｏｍｅｒ  Ｐｒｅｍｉｓｅ  Ｅｑｕｉｐｍｅｎｔ、ＣＰＥ）とも呼ばれ、ボイスおよび／またはデータ接続性をユーザに提供するデバイス、たとえば、ワイヤレス接続機能をもつハンドヘルドデバイスまたは車載デバイスである。一般的な端末デバイスは、たとえば、モバイルフォンと、タブレットと、ノートブックコンピュータと、パームトップコンピュータと、モバイルインターネットデバイス（Ｍｏｂｉｌｅ  Ｉｎｔｅｒｎｅｔ  Ｄｅｖｉｃｅ、ＭＩＤ）と、スマートウォッチ、スマートバンド、および歩数計などのウェアラブルデバイスとを含む。
【０１１６】
（３）「複数の」は、２つ以上を意味し、別の数量詞はこれと同様である。「および／または」という用語は、関連するオブジェクトの間の対応について説明し、３つの関係が存在し得ることを表す。たとえば、Ａおよび／またはＢは、以下の３つの事例を表し得る。Ａのみが存在し、ＡとＢとの両方が存在し、Ｂのみが存在する。文字「／」は、関連するオブジェクトの間の「または」の関係を概して示す。
【０１１７】
本出願では、「少なくとも１つ」は、１つまたは複数を意味し、「複数の」は、２つ以上を意味する。「および／または」という用語は、関連するオブジェクトの間の関連付け関係について説明し、３つの関係が存在し得ることを表す。たとえば、Ａおよび／またはＢは、以下の事例を表し得る。Ａのみが存在し、ＡとＢとの両方が存在し、Ｂのみが存在し、ここで、ＡとＢとは、単数または複数であり得る。文字「／」は、関連するオブジェクトの間の「または」の関係を概して示す。「以下の少なくとも１つ（１つの部分）」またはそれの同様の表現は、単数のアイテム（部分）または複数のアイテム（部分）の任意の組合せを含むこれらのアイテムの任意の組合せを指す。たとえば、ａ、ｂ、またはｃの少なくとも１つ（１つの部分）は、ａ、ｂ、ｃ、ａ−ｂ、ａ−ｃ、ｂ−ｃ、またはａ−ｂ−ｃを示し得、ここで、ａ、ｂ、およびｃは、単数または複数であり得る。
【０１１８】
図１に示されている通信システム中に含まれる端末デバイス１２の量とタイプとは例にすぎず、本出願のこの実施形態は、それに限定されないことに留意されたい。たとえば、ネットワークデバイス１１と通信するより多くの端末デバイス１２がさらに含まれ得る。簡潔のために、詳細については、添付の図面において説明されない。さらに、図１に示されている通信システムでは、ネットワークデバイス１１と端末デバイス１２とが示されているが、通信システムは、限定はしないが、ネットワークデバイス１１と端末デバイス１２とを含み得、たとえば、仮想化されたネットワーク機能を搬送するように構成されたコアネットワークノードまたはデバイスをさらに含み得る。これは当業者には明らかであり、詳細については本明細書では説明されない。
【０１１９】
さらに、本出願の実施形態は、次世代ワイヤレス通信システム、すなわち、５Ｇ通信システムだけでなく、将来出現し得る別のシステム、たとえば、次世代Ｗｉ−Ｆｉネットワークまたは５Ｇ車両のインターネットにおいて使用され得る。
【０１２０】
通信システムの連続的な発展とともに、将来出現し得る別のシステム中のネットワーク要素の名前は変化し得ることに留意されたい。この場合、本出願の実施形態において提供される解決法も適用可能である。
【０１２１】
最初に、本出願のこの実施形態では、プリコーディング行列について説明および記述される。プリコーディング行列は、Ｗ(1)，Ｗ(2)，．．．，Ｗ(K)として表され得、ここで、Ｗ(k)は、ｋ番目の周波数領域ユニット中のプリコーディング行列であり、０＜ｋ≦Ｋであり、Ｋは、周波数領域ユニットの量である。
【０１２２】
任意の（ｋ番目の）周波数領域ユニット中のプリコーディング行列Ｗ(k)は、Ｗ(k)＝Ｗ1×Ｗ2(k)を満たし、Ｗ1は、Ｎt×Ｌの行列であり、Ｗ2(k)は、Ｌ×Ｒの行列である。すなわち、Ｗ(k)は、Ｎt×Ｒの行列である。
【０１２３】
可能な実装シナリオでは、各周波数領域ユニット上のプリコーディング行列は、Ｗ＝Ｗ1×Ｗ2を満たし（本明細書では、周波数領域ユニットの影響は無視され、上付き文字の（ｋ）は、番号付け中に一時的に省略される）、ここで、Ｗ1は、対角ブロック行列であり、各ブロック行列は、Ｌ／２個の直交２次元離散フーリエ変換（Ｄｉｓｃｒｅｔｅ  Ｆｏｕｒｉｅｒ  Ｔｒａｎｓｆｏｒｍ、ＤＦＴ）ベクトルを含み、Ｌは、０よりも大きい偶数である。この場合、Ｗ1は、
【０１２４】
【数９】
2022501931.tif 000011
【０１２５】
として、表され得、ここで、
【０１２６】
【数１０】
2022501931.tif 000012
【０１２７】
は、ビームベクトルを表し、ｌ＝１，．．．，Ｌ／２であり、ビームベクトルは、互いに直交する。
【０１２８】
さらに、異なる量のランク（ＲＩ）に従って、Ｗ2の表現形式は異なる。位相と振幅とは、信号の２つの特性であり、したがって、信号は、位相と振幅との２つの角度から説明され得る。理解しやすいように、本出願のこの実施形態は、以下の２つのＷ2の表現形式を提供する。
【０１２９】
実現可能な実装シナリオでは、ランクが１であるとき、Ｗ2は次のように表され得る。
【０１３０】
【数１１】
2022501931.tif 000013
【０１３１】
実現可能な実装シナリオでは、ランクが２であるとき、Ｗ2は次のように表され得る。
【０１３２】
【数１２】
2022501931.tif 000014
【０１３３】
ここで、
【０１３４】
【数１３】
2022501931.tif 000015
【０１３５】
は、広帯域振幅情報を表し、
【０１３６】
【数１４】
2022501931.tif 000016
【０１３７】
は、サブバンド振幅情報を表し、ここで、
【０１３８】
【数１５】
2022501931.tif 000017
【０１３９】
であり、
【０１４０】
【数１６】
2022501931.tif 000018
【０１４１】
であり、ｊは、行列Ｗ2の列番号であり、データのレイヤのシーケンス番号をも表し、ｉは、行列Ｗ2の行番号を表し、ｃi,jは、位相情報を表し、
【０１４２】
【数１７】
2022501931.tif 000019
【０１４３】
または
【０１４４】
【数１８】
2022501931.tif 000020
【０１４５】
である。
【０１４６】
プリコーディング行列の上記のアーキテクチャに基づき、従来技術では、できる限り報告量を低減するために、ＣＳＩ圧縮解決策が使用される。解決策の本質は、以下の通りである。各Ｗ2中の各係数について、変換領域演算を使用することによって、報告される必要がある周波数領域要素は、変換領域に変換され、次いで、限定された量の大きい値のサンプルポイントが、報告のために変換領域の要素から選択され、ここで、変換領域演算は、限定はしないが、逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）と、離散フーリエ変換（Ｄｉｓｃｒｅｔｅ  Ｆｏｕｒｉｅｒ  Ｔｒａｎｓｆｏｒｍ、ＤＦＴ）と、離散コサイン変換（Ｄｉｓｃｒｅｔｅ  Ｃｏｓｉｎｅ  Ｔｒａｎｓｆｏｒｍ、ＤＣＴ）と、逆離散コサイン変換（Ｉｎｖｅｒｓｅ  Ｄｉｓｃｒｅｔｅ  Ｃｏｓｉｎｅ  Ｔｒａｎｓｆｏｒｍ、ＩＤＣＴ）とを含む。
【０１４７】
理解しやすいように、本出願のこの実施形態は、ＩＤＦＴ変換を通してＣＳＩ圧縮を実装する解決策を提供する。特に、上記のＷ2中の任意の係数
【０１４８】
【数１９】
2022501931.tif 000021
【０１４９】
について、Ｋ個のサブバンドの係数
【０１５０】
【数２０】
2022501931.tif 000022
【０１５１】
は、Ｘi,jを形成し、表１への参照が行われる。
【０１５２】
【表１】
2022501931.tif 000023
【０１５３】
次いで、ＩＤＦＴ変換がＹi,jを取得するために表１中の各係数Ｘi,jに対して実行され、ここで、Ｙi,j＝ＩＤＦＴ（Ｘi,j）である。この場合、表２は、Ｙi,jの表現形式を示す。
【０１５４】
【表２】
2022501931.tif 000024
【０１５５】
ＩＤＦＴ変換の後に、ＣＳＩ報告を実行するときに、端末デバイスは、報告のために各Ｙi,jから限定された量の大きい値のサンプルポイントを選択し得る。すべてのＹi,jから選択される大きい値の限定された量のサンプルポイントは、同じであることも異なることもあり、報告のためにすべてのＹi,jから選択される大きい値の限定された量のサンプルポイントの位置（時間領域サンプルポイントのシーケンス番号）は、同じであることも異なることもある。
【０１５６】
たとえば、Ｙ1,1中で、時間領域サンプルポイント１と時間領域サンプルポイント２との値が比較的大きく、他の時間領域サンプルポイントの値が比較的小さい場合、Ｙ1,1について、
【０１５７】
【数２１】
2022501931.tif 000025
【０１５８】
と
【０１５９】
【数２２】
2022501931.tif 000026
【０１６０】
とが報告される。
【０１６１】
別の例では、Ｙ2,1中で、時間領域サンプルポイント４の値が比較的大きく、他の時間領域サンプルポイントの値が比較的小さい場合、要素Ｙ2,1について、
【０１６２】
【数２３】
2022501931.tif 000027
【０１６３】
が報告される。
【０１６４】
さらに、ＣＳＩ報告の量を低減するための別の解決策がある。表１中の各行では、端末デバイスは、基地局に各サブバンドの係数
【０１６５】
【数２４】
2022501931.tif 000028
【０１６６】
を報告する必要がなく、ここで、ｋ＝１，２，．．．，Ｋである。端末デバイスは、報告のために各行中のＫ個の係数からＰi,j係数を選択する。端末デバイスによって報告されるＰi,j係数とＫ個のサブバンド中のＰi,j係数の位置とに従って、基地局デバイスは、補間方式でＫ個のサブバンドのＷ2のｉ番目の行およびｊ番目の列中の複素係数を取得し得る。
【０１６７】
可能な補間方法では、線形補間が使用され、すなわち、（ｋ1＋ｎ）番目のサブバンド上の係数
【０１６８】
【数２５】
2022501931.tif 000029
【０１６９】
が、端末デバイスによって報告されるｋ1番目のサブバンド上の
【０１７０】
【数２６】
2022501931.tif 000030
【０１７１】
とｋ2番目のサブバンド上の
【０１７２】
【数２７】
2022501931.tif 000031
【０１７３】
を使用することによって取得され、ここで、ｋ1およびｋ2は、端末デバイスによって選択される２つの隣接するサブバンドの位置インデックスであり、０＜ｎ＜ｋ2−ｋ1である。
【０１７４】
Ｐi,j係数は、Ｐi,j係数
【０１７５】
【数２８】
2022501931.tif 000032
【０１７６】
、もしくはＰi,j係数
【０１７７】
【数２９】
2022501931.tif 000033
【０１７８】
のサブバンド位相、もしくはＰi,j係数
【０１７９】
【数３０】
2022501931.tif 000034
【０１８０】
のサブバンド振幅であり得るか、または
【０１８１】
【数３１】
2022501931.tif 000035
【０１８２】
係数
【０１８３】
【数３２】
2022501931.tif 000036
【０１８４】
の位相と
【０１８５】
【数３３】
2022501931.tif 000037
【０１８６】
係数
【０１８７】
【数３４】
2022501931.tif 000038
【０１８８】
の振幅とを含み得ることに留意されたい。
【０１８９】
別の可能な実装解決策では、表１中の各行では、端末デバイスは、
【０１９０】
【数３５】
2022501931.tif 000039
【０１９１】
と、差分係数
【０１９２】
【数３６】
2022501931.tif 000040
【０１９３】
，
【０１９４】
【数３７】
2022501931.tif 000041
【０１９５】
，．．．，
【０１９６】
【数３８】
2022501931.tif 000042
【０１９７】
とを報告する。
【０１９８】
【数３９】
2022501931.tif 000043
【０１９９】
，
【０２００】
【数４０】
2022501931.tif 000044
【０２０１】
，
【０２０２】
【数４１】
2022501931.tif 000045
【０２０３】
，．．．，
【０２０４】
【数４２】
2022501931.tif 000046
【０２０５】
と報告される係数に対応する周波数領域サブバンド位置（すなわち、変曲点の位置）とに従って、基地局デバイスは、補間方式でＫ個のサブバンドのＷ2のｉ番目の行およびｊ番目の列中の複素係数を取得し得、ここで、ｎ＝２，３，．．．，Ｐi,j−１である。
【０２０６】
可能な補間方法では、線形補間が使用され、すなわち、サブバンド１とサブバンドｋ1との間のサブバンド係数が、端末デバイスによって報告される
【０２０７】
【数４３】
2022501931.tif 000047
【０２０８】
とサブバンド位置ｋ1、たとえば、
【０２０９】
【数４４】
2022501931.tif 000048
【０２１０】
とを使用することによって取得され得る。同様に、サブバンドｋ1とサブバンドｋ2との間のサブバンド係数は、取得された
【０２１１】
【数４５】
2022501931.tif 000049
【０２１２】
および
【０２１３】
【数４６】
2022501931.tif 000050
【０２１４】
、たとえば、
【０２１５】
【数４７】
2022501931.tif 000051
【０２１６】
に従って取得され得る。残りは、類推によって推論されることが可能である。
【０２１７】
結論として、端末デバイスの報告量は、ＣＳＩ圧縮解決策を使用することによって低減されることが可能である。
【０２１８】
既存の新無線（Ｎｅｗ  Ｒａｄｉｏ  Ａｃｃｅｓｓ  Ｔｅｃｈｎｏｌｏｇｙ、ＮＲ）技術では、端末デバイスによって報告されるＣＳＩは、２つの部分を含む。パート２のＣＳＩのビットの量は、ＲＩとパート１のＣＳＩ中にあるＷ1中の非ゼロ広帯域振幅係数の量とに基づいて決定されることが可能であり、基地局は、パート１のＣＳＩ中の情報に基づいてパート２のＣＳＩを復調し得る。しかしながら、ＣＳＩ圧縮解決策がＮＲ技術に基づいて拡張される場合、各要素Ｙi,j中で報告される非ゼロ要素の量が異なるので、既存のプリコーディング行列表示方法が使用される場合、パート２のＣＳＩ中のビットの量は、ＲＩとパート１のＣＳＩ中で報告されるＷ1中の非ゼロ広帯域振幅係数の量とに基づいて決定されることができない。したがって、基地局がプリコーディング行列の表示情報を受信した後、基地局が表示情報を復調することは困難であり、それによって、通常のデータ伝送に影響を及ぼす。
【０２１９】
本出願のこの実施形態において提供されるプリコーディング行列表示方法は、従来技術における上記の問題を解決するために提供される。
【０２２０】
図２は、本出願によるプリコーディング行列表示方法を示す。図２に示されているように、本方法は以下のステップを含む。
【０２２１】
Ｓ２０２：端末デバイスは、第３の表示情報を生成する。
【０２２２】
第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量である。
【０２２３】
第３の表示情報は、第２の表示情報と第１の表示情報とを含む。
【０２２４】
第２の表示情報は、ベクトルＤi,j中のＰi,j要素を示すために使用され、ベクトルＤi,jと行列Ｆi,jとは、Ｖi,j＝Ｆi,j×Ｄi,jを満たし、ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋである。
【０２２５】
第１の表示情報は、第２の表示情報によって示される要素の量を示すために使用される。
【０２２６】
Ｓ２０４：端末デバイスは、第３の表示情報を送信する。
【０２２７】
以下は、一実施形態を参照しながら図２に示されているプリコーディング行列表示方法について詳細に説明する。
【０２２８】
本出願のこの実施形態において提供されるプリコーディング行列表示方法によれば、第２の表示情報によって示されるベクトルＤi,j中のＰi,j要素は、要素の最後に報告される限定された量であり、第１の表示情報は、第２の表示情報によって示される要素の量を示す。このようにして、第１の表示情報によって示される要素の量を通して、第３の表示情報を受信した後に、基地局は、第１の表示情報と第２の表示情報とに基づいてプリコーディング行列を生成し得る。このようにして、プリコーディング行列が示される。
【０２２９】
さらに、本出願において提供されるプリコーディング行列表示方法は、ＣＳＩ圧縮解決策に適用可能であり、すなわち、各要素に対応する要素の限定された量のみがプリコーディング行列表示中に報告される解決策に適用可能である。この場合、第３の表示情報はＣＳＩである。ＣＳＩは、パート１のＣＳＩとパート２のＣＳＩとの独立して符号化される２つの部分を含み、第１の表示情報は、パート１のＣＳＩ中で搬送され得、第２の表示情報は、パート２のＣＳＩ中で搬送され得、したがって、基地局は、パート２のＣＳＩを復調することができ、さらに、第２の表示情報中で報告される要素を使用することによってデータ伝送を実装することができる。すなわち、この場合、端末デバイスによって送信されるＣＳＩ中のパート１のＣＳＩは、限定はしないが、第１の表示情報と、ランクインジケータＲＩと、第１のコードワードのチャネル品質インジケータＣＱＩとの情報を含み得る。パート２のＣＳＩは、限定はしないが、第２の表示情報とプリコーディング行列インジケータ（Ｐｒｅｃｏｄｉｎｇ  Ｍａｔｒｉｘ  Ｉｎｄｉｃａｔｏｒ、ＰＭＩ）との情報を含み得る。このようにして、基地局がＣＳＩを受信するとき、基地局は、パート１のＣＳＩ中で搬送される第１の表示情報を通してパート２のＣＳＩ中のビットの量を決定し得る。
【０２３０】
上記で説明されたように、任意の周波数領域ユニット中のプリコーディング行列中のＷ2(k)では、任意の係数（たとえば、ｉ番目の行およびｊ番目の列中の係数）は、
【０２３１】
【数４８】
2022501931.tif 000052
【０２３２】
の関係を満たし得、すなわち、各Ｗ2(k)中のすべての係数は、広帯域振幅
【０２３３】
【数４９】
2022501931.tif 000053
【０２３４】
と、サブバンド振幅
【０２３５】
【数５０】
2022501931.tif 000054
【０２３６】
と、位相（ｃi,j(k)）とによって表され得る。このようにして、特定の実装では、ベクトルＶi,jがＷ2(1)（ｉ，ｊ），Ｗ2(2)（ｉ，ｊ），．．．，Ｗ2(K)（ｉ，ｊ）に対応し、ここで、
【０２３７】
【数５１】
2022501931.tif 000055
【０２３８】
であることは、以下の事例を含み得る。
【０２３９】
Ｖi,jは、Ｗ2(1)（ｉ，ｊ），Ｗ2(2)（ｉ，ｊ），．．．，Ｗ2(K)（ｉ，ｊ）を含む列ベクトルであり、または
Ｖi,jは、Ｗ2(1)（ｉ，ｊ），Ｗ2(2)（ｉ，ｊ），．．．，Ｗ2(K)（ｉ，ｊ）の振幅を含む列ベクトルであり、または
Ｖi,jは、Ｗ2(1)（ｉ，ｊ），Ｗ2(2)（ｉ，ｊ），．．．，Ｗ2(K)（ｉ，ｊ）の位相を含む列ベクトルである。
【０２４０】
Ｖi,jは、Ｗ2(1)（ｉ，ｊ），Ｗ2(2)（ｉ，ｊ），．．．，Ｗ2(K)（ｉ，ｊ）の振幅を含む列ベクトルであることは、Ｖi,jは、Ｗ2(1)（ｉ，ｊ），Ｗ2(2)（ｉ，ｊ），．．．，Ｗ2(K)（ｉ，ｊ）の広帯域振幅および／またはサブバンド振幅を含む列ベクトルであることを含み得る。
【０２４１】
すなわち、ベクトルＶi,jは、
【０２４２】
【数５２】
2022501931.tif 000056
【０２４３】
として表され得、ここで、
【０２４４】
【数５３】
2022501931.tif 000057
【０２４５】
は、Ｗ2(k)（ｉ，ｊ）であるか、またはＷ2(k)（ｉ，ｊ）の振幅であるか、またはＷ2(k)（ｉ，ｊ）の位相である。
【０２４６】
ベクトルＶi,jがＷ2(1)（ｉ，ｊ），Ｗ2(2)（ｉ，ｊ），．．．，Ｗ2(K)（ｉ，ｊ）に対応することと、ベクトルＤi,jおよび行列Ｆi,jがＶi,j＝Ｆi,j×Ｄi,jを満たすこととに基づいて、ベクトルＤi,j中のＰi,j要素は、最後に報告される限定された量の要素である。この場合、第１の表示情報は、特に、これらの報告される要素の量を示すために使用される。この場合、指示方式は、限定はしないが、以下の指示方式を特に含み得る。
【０２４７】
第１の方式では、第２の表示情報中で報告される各ベクトルＤi,j中の要素の量が示される。
【０２４８】
たとえば、上記で説明されたように、各ベクトルＤi,j中のＰi,j要素が最後に報告される。この場合、第２の表示情報によって示される要素の量は、各ベクトルＤi,j中の要素の量、すなわち、Ｐi,jであり得、（ｉ，ｊ）∈Ｓである。Ｓは、セット｛（ｘ，ｙ）｜（ｘ∈｛１，２，．．．，Ｌ｝，ｙ∈｛１，２，．．．，Ｒ｝）｝の空でないサブセットである。
【０２４９】
代替として、別の実現可能な実装シナリオでは、各ベクトルＤi,j中のＰi,j要素中で最大の値をもつ要素が別々に報告され得る。この場合、第２の表示情報によって示される要素の量は、各ベクトルＤi,j中で最大の値をもつ別々に報告される要素以外の要素の量であり得、特に、Ｐi,j−１のように表され得、ここで、（ｉ，ｊ）∈Ｓである。Ｓは、セット｛（ｘ，ｙ）｜（ｘ∈｛１，２，．．．，Ｌ｝，ｙ∈｛１，２，．．．，Ｒ｝）｝の空でないサブセットであり、１は、最大の値をもつ別々に報告される要素を表す。
【０２５０】
さらに、別の可能な実装シナリオでは、値が各ベクトルＤi,j中のＰi,j要素中でトップにランクするｚ要素が別々に報告される場合、第２の表示情報によって示される要素の量は、各ベクトルＤi,j中の別々に報告されるｚ要素以外の要素の量であり得、Ｐi,j−ｚとして表され得、ここで、（ｉ，ｊ）∈Ｓである。Ｓは、セット｛（ｘ，ｙ）｜（ｘ∈｛１，２，．．．，Ｌ｝，ｙ∈｛１，２，．．．，Ｒ｝）｝の空でないサブセットであり、ｚは、別々に報告される複数の要素を表す。
【０２５１】
本出願におけるセットＳは、端末デバイスによって報告される必要があるベクトルＤi,j中のｉおよびｊの値の範囲を示す。後続のセットＳのために同じ概念が使用される。詳細については、再び説明されない。行列Ｗ2(1)，Ｗ2(2)，．．．，Ｗ2(K)の各行列がＬ個の行とＲ個の列とをもつ行列であることに留意されたい。しかしながら、Ｋ個のＬ×Ｒの行列では、いくつかの要素の振幅は０であり、端末デバイスは、振幅が０である要素に対応するＤi,jを報告しないことがある。したがって、ｉおよびｊの値は、セット｛（ｘ，ｙ）｜（ｘ∈｛１，２，．．．，Ｌ｝，ｙ∈｛１，２，．．．，Ｒ｝）｝の空でないサブセットである。｛（ｘ，ｙ）｜（ｘ∈｛１，２，．．．，Ｌ｝，ｙ∈｛１，２，．．．，Ｒ｝）｝中の（ｘ，ｙ）の値セットは、（１，１），（１，２），．．．，（１，Ｒ），（２，１），（２，２），．．．，（２，Ｒ），．．．，（Ｌ，１），（Ｌ，２），．．．，（Ｌ，Ｒ）である。
【０２５２】
たとえば、表２は、一例として使用され、第２の表示情報は、２つのベクトルＤ1,1とＤ3,1とを示す。第１のベクトルＤ1,1は、
【０２５３】
【数５４】
2022501931.tif 000058
【０２５４】
および
【０２５５】
【数５５】
2022501931.tif 000059
【０２５６】
の２つの要素を含み、ベクトルＤ1,1中の要素の量Ｐ1,1は２である。第２のベクトルＤ3,1は、
【０２５７】
【数５６】
2022501931.tif 000060
【０２５８】
の１つの要素を含み、ベクトルＤ3,1中の要素の量Ｐ3,1は１である。
【０２５９】
この場合、第１の表示情報は、２つのベクトルＤ1,1およびＤ3,1中の要素の量２および１を別々に示し得る。代替として、最大の値をもつ要素が各ベクトル中で別々に報告される場合、第１の表示情報は、２つのベクトルＤ1,1およびＤ3,1中で最大の値をもつ別々に報告される要素以外の要素の量１（２−１＝１）および０（１−１＝０）を別々に示すために使用され得る。
【０２６０】
各ベクトルＤi,j中の要素の量は、各ベクトルＤi,jを別々に報告する方式で決定されることが可能であり、したがって、基地局は、第３の表示情報を受信した後に各ベクトルＤi,jを復調する。
【０２６１】
第２の方式では、第２の表示情報中で報告されるすべての要素の量が示される。
【０２６２】
この場合、第２の表示情報によって示される要素の量は、ベクトルＤi,j中のすべての要素の量の和であり得る。量は、Σ(i,j)∈SＰi,jとして特に表され得、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【０２６３】
代替として、別の実現可能な実装シナリオでは、各ベクトルＤi,j中のＰi,j要素中で最大の値をもつ要素が別々に報告され得る。この場合、第２の表示情報によって示される要素の量は、各ベクトルＤi,j中で最大の値をもつ別々に報告される要素以外の要素の量の和であり得、特に、Σ(i,j)∈S（Ｐi,j−１）として表され得、ここで、Ｓは、セット｛（ｘ，ｙ）｜（ｘ∈｛１，２，．．．，Ｌ｝，ｙ∈｛１，２，．．．，Ｒ｝）｝の空でないサブセットであり、１は、最大の値をもつ別々に報告される要素を表す。
【０２６４】
さらに、別の可能な実装シナリオでは、値が各ベクトルＤi,j中のＰi,j要素中でトップにランクするｚ要素が別々に報告される場合、第３の表示情報が生成され、第２の表示情報によって示される要素の量は、ベクトルＤi,j中の別々に報告されるｚ要素以外の要素の量の和であり、特に、Σ(i,j)∈S（Ｐi,j−ｚ）として表され得、ここで、Ｓは、セット｛（ｘ，ｙ）｜（ｘ∈｛１，２，．．．，Ｌ｝，ｙ∈｛１，２，．．．，Ｒ｝）｝の空でないサブセットであり、ｚは、別々に報告される複数の要素を表す。
【０２６５】
表２は、一例として依然として使用され、第２の表示情報は、２つのベクトルＤ1,1とＤ3,1とを示す。第１のベクトルＤ1,1は、
【０２６６】
【数５７】
2022501931.tif 000061
【０２６７】
および
【０２６８】
【数５８】
2022501931.tif 000062
【０２６９】
の２つの要素を含み、ベクトルＤ1,1中の要素の量Ｐ1,1は２である。第２のベクトルＤ3,1は、
【０２７０】
【数５９】
2022501931.tif 000063
【０２７１】
の１つの要素を含み、ベクトルＤ3,1中の要素の量Ｐ3,1は１である。
【０２７２】
この場合、第１の表示情報は、２つのベクトルＤ1,1およびＤ3,1中の要素の総量が３（２＋１＝３）であることを示すために使用される。代替として、最大の値をもつ要素が各ベクトル中で別々に報告される場合、第１の表示情報は、２つのベクトルＤi,j中で最大の値をもつ別々に報告される要素以外の要素の総量１（１＋０＝１）を示すために使用され得る。
【０２７３】
総量を報告することは、ネットワークデバイス（基地局）がパート２のＣＳＩを復調することを支援することができ、端末デバイスの報告量をさらに効果的に低減することができる。
【０２７４】
第３の方式では、第２の表示情報中で報告される要素の量は（ｋ番目の）レイヤに従って示される。
【０２７５】
この場合、第２の表示情報によって示される要素の量は、Ｐqを含み、ここで、Ｐqは、ｊ＝ｑが与えられるときに要素の量Ｐi,jの和であり、Ｐq＝Σj=qおよび(i,j)∈SＰi,jであり、Ｓは、セット｛（ｘ，ｙ）｜（ｘ∈｛１，２，．．．，Ｌ｝，ｙ∈｛１，２，．．．，Ｒ｝）｝の空でないサブセットである。
【０２７６】
たとえば、表２は、一例として依然として使用され、第２の表示情報は、３つのベクトルＤ1,1とＤ3,1とＤ1,2とを示す。第１のベクトルＤ1,1は、
【０２７７】
【数６０】
2022501931.tif 000064
【０２７８】
および
【０２７９】
【数６１】
2022501931.tif 000065
【０２８０】
の２つの要素を含み、ベクトルＤ1,1中の要素の量Ｐ1,1は２である。第２のベクトルＤ3,1は、
【０２８１】
【数６２】
2022501931.tif 000066
【０２８２】
の１つの要素を含み、ベクトルＤ3,1中の要素の量Ｐ3,1は１である。第３のベクトルＤ1,2は、
【０２８３】
【数６３】
2022501931.tif 000067
【０２８４】
、
【０２８５】
【数６４】
2022501931.tif 000068
【０２８６】
、
【０２８７】
【数６５】
2022501931.tif 000069
【０２８８】
、および
【０２８９】
【数６６】
2022501931.tif 000070
【０２９０】
の４つの要素を含み、ベクトルＤ1,2中の要素の量Ｐ1,2は４である。
【０２９１】
この場合、第１の表示情報は、シーケンス番号が１である所与のデータレイヤにおいて報告される要素の総量が３であることを示すために使用され得、シーケンス番号が２である所与のデータレイヤにおいて報告される要素の総量が４であることを示すために使用され得る。
【０２９２】
さらに、最大の値をもつ１つの要素または比較的大きい値をもつ複数の要素を別々に報告する上記の実装シナリオが関与する場合、別々に報告される要素の量が各レイヤにおいて報告される要素からさらに除去され、次いで、残りの要素の量が加算され、報告される。たとえば、最大の値をもつ１つの要素が別々に報告され、第２の表示情報によって示される要素の量Ｐqは、ｊ＝ｑが与えられるときに要素の量Ｐi,jの和であり、Ｐq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである。
【０２９３】
本出願のこの実施形態では、第１の表示情報の上記の３つの指示方式が別々に使用され得るか、または少なくとも２つの指示方式の組合せ方式で使用され得る。上記の指示方式の組合せ方式は、上記の情報のうちの少なくとも２つが報告されることを意味する。たとえば、第１の表示情報は、Ｐi,jとΣ(i,j)∈SＰi,jとを含み得、すなわち、第１の表示情報は、各ベクトルＤi,j中の要素の量を示すために使用され得るか、またはベクトルＤi,j中のすべての要素の量の和を示すために使用され得る。他の組合せは、ここで網羅的にリストされない。
【０２９４】
上記の第３の方式での階層報告方式は、好適な実装であり、これは、基地局が、第３の表示情報を受信した後に各レイヤのデータを復調することを助けることに留意されたい。さらに、特定の実装では、報告することは、代替として、非階層方式で実行され得、すなわち、報告することは、上記の第１の方式および／または第２の方式で実行される。
【０２９５】
さらに、特定の実装では、第２の表示情報が複数のベクトルＤi,jを示すために使用され得ることを考えれば、処理を容易にするために、実現可能な実装シナリオでは、本方法は、以下のステップをさらに含み得る。
【０２９６】
端末デバイスは、第６の表示情報を送信し、第６の表示情報は、ベクトルＤi,jの量であって、（ｉ，ｊ）∈Ｓまたは（ｉ，ｊ）∈Ｓおよびｊ＝ｑが満たされ、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量を示すために使用される。セット｛（ｘ，ｙ）｜（ｘ∈｛１，２，．．．，Ｌ｝，ｙ∈｛１，２，．．．，Ｒ｝）｝の意味については、上記の段落において説明されている。
【０２９７】
この実装は、第１の表示情報の任意の指示方式と組み合わせて使用され得る。たとえば、第１の表示情報は、ベクトルＤi,j中の要素の量Ｐi,jを示すために使用され、第６の表示情報は、ベクトルＤi,jの量を示すために使用される。この場合、Σ(i,j)∈SＰi,jは、ベクトルＤi,j中の要素の量Ｐi,jとベクトルＤi,jの量とを通して取得され得る。
【０２９８】
特定の実装では、第６の表示情報と第３の表示情報とは、同時に送信され得る。さらに、好適な実装シナリオでは、第３の表示情報がＣＳＩである場合、第６の表示情報は、第３の表示情報中のパート１のＣＳＩ中で搬送され得る。この場合、端末デバイスは、第３の表示情報の１つの部分のみを送信する必要がある。
【０２９９】
言い換えれば、可能な実装では、第６の表示情報は、ＣＳＩの第１の部分（パート１のＣＳＩ）中に配置され、第１の表示情報と第２の表示情報とは、ＣＳＩの第２の部分（パート２のＣＳＩ）中に配置され、ここで、第６の表示情報は、第１の表示情報中のＰi,jの量を示すために使用される。第１の表示情報は、ビットマップを含み得る。ビットマップは、変換領域のすべてのサンプルポイント中のＤi,j中の要素の位置または端末デバイスによって決定される周波数領域サブバンドの位置を決定するために使用される。
【０３００】
さらに、ＣＳＩ圧縮の特定の実装シナリオについて、本出願は、以下の２つの実現可能なＣＳＩ圧縮解決策を提供する。
【０３０１】
第１のＣＳＩ圧縮解決策では、端末デバイスは、周波数領域中のＷ2(k)中の各係数の位置に基づいて周波数領域中の各係数の変曲点のみを報告する。
【０３０２】
この場合には、行列Ｖi,jの異なる表現意味に従い、ベクトルＤi,jと行列Ｆi,jとがＶi,j＝Ｆi,j×Ｄi,jを満たし、ベクトルＤi,j中のＰi,j要素は第２の表示情報中で示されることは、少なくとも以下の表現関係を有し得る。
【０３０３】
ベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）を取得するために使用されるか、または
ベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の位相であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の位相を取得するために使用されるか、または
ベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の振幅であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の振幅を取得するために使用される。
【０３０４】
たとえば、ベクトルＤi,j中のＰi,j要素がＷ2(1)（ｉ，ｊ），Ｗ2(2)（ｉ，ｊ），．．．，Ｗ2(K)（ｉ，ｊ）中のＰi,j要素の位相であるとき、図３は、各ベクトルＤi,jの位相（ｃi,j）とサブバンド番号との間の周波数領域関係の曲線を示す。図３に示されるように、各ベクトルＤi,jは、１つの係数に対応し、すなわち、１つのｃi,jに対応する。たとえば、図３中の曲線１は、係数ｃ1,1が、サブバンド番号０、３、８、および１２において変曲点を有することを示す。この場合、係数ｃ1,1に対応するベクトルＤ1,1は、サブバンド番号０、３、８、および１２における位相の合計４つの要素を含む。別の例では、図３中の曲線２は、係数ｃ2,1が、サブバンド番号０、４、９、および１２において変曲点を有することを示す。この場合、係数ｃ2,1に対応するベクトルＤ2,1は、サブバンド番号０、４、９、および１２における位相の合計４つの要素を含む。別の例では、図３中の曲線３は、係数ｃ3,2が、サブバンド番号０、８、および１２において変曲点を有することを示す。この場合、係数ｃ3,2に対応するベクトルＤ3,2は、サブバンド番号０、６、および１２における位相の合計３つの要素を含む。
【０３０５】
上記のプリコーディング行列表示解決策では、各係数のものであり、変曲点に位置する報告される要素に基づいて、報告されない、係数のものである別の要素は、直線関係に基づいて好都合に取得されることが可能である。したがって、変曲点に位置し、周波数領域関係の曲線中にある要素の限定された量のみが、係数を表すために使用され、係数のすべての要素が報告される必要があるとは限らない。これは、端末デバイスによって報告されるデータの量をさらに大幅に低減することができる。
【０３０６】
この実装では、行列Ｆi,jが、ベクトルＤi,j中のＰi,j要素に基づいて行列Ｖi,jを取得するために使用される。この場合、行列Ｆi,jは、補間行列であり得、ベクトルＤi,j中の要素に対して補間を実行することによって各サブバンド上のプリコーディング行列（またはプリコーディング行列の振幅または位相）を取得するために主に使用される。
【０３０７】
本出願のこの実施形態では、以下の方法がさらに提供される。
【０３０８】
端末デバイスは、第４の表示情報を送信し、第４の表示情報は、Ｄi,j中のＰi,j要素に対応するＷ2(1)（ｉ，ｊ），Ｗ2(2)（ｉ，ｊ），．．．，Ｗ2(K)（ｉ，ｊ）中のＰi,j要素の周波数領域位置を示すために使用される。
【０３０９】
一例として図３に示されている曲線１を使用して、曲線１に対応するベクトルＤ1,1は、０、３、８、および１２における位相である合計４つの要素を含む。第３の表示情報中の第２の表示情報は、ベクトルＤ1,1中に含まれる４つの要素の位相値を含み得、第１の表示情報は、ベクトルＤ1,1によって示される要素の量が４であることを示し得る。さらに、各要素に対応するサブバンド番号（０、３、８、または１２）は、第４の表示情報を通してさらに示され得る。
【０３１０】
特定の実装では、第４の表示情報と第３の表示情報とは、同時に送信され得る。さらに、好適な実装シナリオでは、第３の表示情報がＣＳＩである場合、第４の表示情報は、第３の表示情報中のパート２のＣＳＩ中で搬送され得る。この場合、端末デバイスは、第３の表示情報の１つの部分のみを送信する必要がある。
【０３１１】
さらに、この実装では、第３の表示情報は、上記の第６の表示情報をさらに含み得る。この場合、第６の表示情報は、図３中で報告される係数の量を示すために特に使用される。
【０３１２】
第２のＣＳＩ圧縮解決策では、端末デバイスは、Ｗ2(k)中の各係数を処理し、報告のために処理された各係数から限定された量の要素を別々に選択する。本出願のこの実施形態における変換処理は、限定はしないが、周波数領域から時間領域への変換処理、またはコサイン関連の変換処理を含み得る。
【０３１３】
この場合、行列Ｆi,jのＰi,jベクトルは互いに直交する。特に、行列Ｆi,jは、
離散フーリエ変換（Ｄｉｓｃｒｅｔｅ  Ｆｏｕｒｉｅｒ  Ｔｒａｎｓｆｏｒｍ、ＤＦＴ）行列のＰi,j列であるか、または
逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）行列のＰi,j列であるか、または
離散コサイン変換（Ｄｉｓｃｒｅｔｅ  Ｃｏｓｉｎｅ  Ｔｒａｎｓｆｏｒｍ、ＤＣＴ）行列のＰi,j列であるか、または
逆離散コサイン変換（Ｉｎｖｅｒｓｅ  Ｄｉｓｃｒｅｔｅ  Ｃｏｓｉｎｅ  Ｔｒａｎｓｆｏｒｍ、ＩＤＣＴ）行列のＰi,j列であり得る。
【０３１４】
この場合、本出願で提供されるプリコーディング行列表示方法は、以下のステップをさらに含む。
【０３１５】
端末デバイスは、第５の表示情報を送信し、第５の表示情報は、行列Ｆi,jを示すために使用される。可能な実装では、第５の表示情報は、変換行列のＰi,j列を示すために使用され、変換行列は、限定はしないが、ＤＦＴ行列と、ＩＤＦＴ行列と、ＤＣＴ行列と、ＩＤＦＴ行列とを含む。
【０３１６】
特定の実装では、第５の表示情報と第３の表示情報とは、同時に送信され得る。さらに、好適な実装シナリオでは、第３の表示情報がＣＳＩである場合、第５の表示情報は、第３の表示情報中のパート２のＣＳＩ中で搬送され得る。この場合、端末デバイスは、第３の表示情報の１つの部分のみを送信する必要がある。
【０３１７】
特に、以下は、特定の説明のために行列Ｆi,jがＩＤＦＴ行列である一例を使用する。表２および図４を参照すると、図４は、ＩＤＦＴ変換がＷ2(k)中の係数に対して実行された後に取得される時間領域関係の曲線を示す。図４では、各変換中で、時間領域中のＹi,jは、１つの時間領域関係曲線に対応する。第１の表示情報は、各時間領域関係曲線中のいくつかの時間領域サンプルポイントを示すために使用される。これらの時間領域サンプルポイントは、図４中で丸で囲まれており、図４中のこれらの時間領域サンプルポイントの総量はＮ２として識別され、ここで、Ｎ２は、時間領域中のＷ2(k)中のすべての係数のサンプルポイントの総量であり得るか、またはＷ2(k)中の各レイヤにおけるすべての係数の時間領域サンプルポイントの総量であり得る。各係数中で報告される時間領域サンプルポイントの量は、同じであることも異なることもあり、報告される時間領域サンプルポイントは、必要に応じてあらかじめ設定された条件に基づいて選択されるか、または処理を通して処理人員によって決定され得る。これは、本出願では特に限定されない。たとえば、係数Ｙ1,1に対応する曲線４は、合計で報告される必要がある４つの時間領域サンプルポイントを含む。この場合、第２の表示情報は、係数Ｙ1,1に対応する４つの時間領域サンプルポイントを示すために使用され、第１の表示情報は、第２の表示情報中で報告される時間領域サンプルポイントの量が４であることを示すために使用される。
【０３１８】
好適な実装シナリオでは、各係数中で報告されるいくつかの時間領域サンプルポイントは、比較的大きい値をもつ限定された量の時間領域サンプルポイントである。
【０３１９】
さらに、この実装では、第１の表示情報によって示される量Ｎ２に加えて、第３の表示情報は、上記の第６の表示情報をさらに含み得る。この場合、第６の表示情報は、図４中で報告される係数の量、すなわち、図４に示されている量Ｎ１を示すために特に使用される。
【０３２０】
図３および図４に示されている２つのＣＳＩ圧縮方式について、本出願のこの実施形態は、第４の表示情報と第５の表示情報との指示方式をさらに提供する。第４の表示情報と第５の表示情報とは、第１の表示情報中で搬送され得る。説明を容易にするために、以下は、第４の表示情報と第５の表示情報との表現方式について説明するための一例として図４と第５の表示情報とを使用する。
【０３２１】
本出願のこの実施形態は、第５の表示情報を表す２つの方式を提供する。
【０３２２】
第１の表現方式は、ビットマップ（Ｂｉｔｍａｐ）方式である。この場合、第５の表示情報について、非ゼロ広帯域振幅係数Ｙi,jごとに、係数中の報告される要素の位置は、１つまたは複数のビットのビットグループを通して示され得る。
【０３２３】
好適な実装シナリオでは、第１の表示情報は、１つまたは複数のビットマップを含み、各ビットマップは、Ｋ個のビットを含み、ベクトルＤi,j中のＰi,j要素の位置インデックスを示すために使用される。この場合、第５の表示情報は、第１の表示情報中で搬送される。
【０３２４】
別の可能な実装では、変換領域のサンプルポイントは、オーバーサンプリング方式で取得され得る。この場合、変換領域のサンプルポイントの量は、サブバンドの量Ｋよりも大きい。このようにして、第１の表示情報中に含まれるビットマップの各々は、変換領域のＪ個のサンプルポイント中のベクトルＤi,j中のＰi,j要素の位置を示すためにＪ個のビットを含み、ここで、Ｊ＞Ｋである。
【０３２５】
図４と第５の表示情報とを参照すると、この場合、各係数Ｙi,jに対応するビットグループが表３中で表され得る。
【０３２６】
【表３】
2022501931.tif 000071
【０３２７】
第２の表現方式は、組合せ番号方式である。
【０３２８】
図４と第５の表示情報とが一例として依然として使用される。係数Ｙ1,1に対応する報告される要素の量は４であり、これらの報告される要素の位置は、組合せ番号方式で報告され得る。４つのサンプルポイント
【０３２９】
【数６７】
2022501931.tif 000072
【０３３０】
がＮ個のサンプルポイントから選択される。係数Ｙ2,1に対応する報告される要素の量は３であり、これらの報告される要素の位置は、組合せ番号方式で報告され得る。３つのサンプルポイント
【０３３１】
【数６８】
2022501931.tif 000073
【０３３２】
がＮ個のサンプルポイントから選択される。係数ＹL,Rに対応する報告される要素の量は２であり、これらの報告される要素の位置は、組合せ番号方式で報告され得る。２つのサンプルポイント
【０３３３】
【数６９】
2022501931.tif 000074
【０３３４】
がＮ個のサンプルポイントから選択される。
【０３３５】
第５の表示情報が組合せ番号方式で報告されるとき、
【０３３６】
【数７０】
2022501931.tif 000075
【０３３７】
を搬送するビットの量は、ｍに関係づけられるが、ｍの値はパート１のＣＳＩ中で示されないので、この問題を解決するために、パート２のＣＳＩのビットの量を固定するためにゼロパディング方式が使用され得ることに留意されたい。この場合、本方法は、以下のステップをさらに含む。
【０３３８】
端末は、組合せ番号情報を取得する。
【０３３９】
端末は、パディングされた組合せ番号情報を取得するために組合せ番号情報に対してパディング処理を実行し、ここで、パディングされた組合せ番号情報は、固定された量のビットを有する。
【０３４０】
たとえば、要素位置を搬送するために使用されるビットの量が
【０３４１】
【数７１】
2022501931.tif 000076
【０３４２】
に固定されている場合、係数Ｙ1,1について、０が追加される必要がなく、係数Ｙ2,1について、値が０である１ビットが追加される必要があり、係数ＹL,Rについて、値がどちらも０である２ビットが追加される必要がある。
【０３４３】
端末側に対して実行されるプリコーディング行列表示方法に加えて、本出願は、端末側に対して実行される方法をさらに提供する。
【０３４４】
図５は、本出願によるＣＳＩ報告の適用例シナリオにおけるプリコーディング行列表示方法の概略対話フローチャートである。図５に示されているように、本方法は以下のステップを含む。
【０３４５】
Ｓ５０２：端末デバイスは、第３の表示情報を生成する。
【０３４６】
Ｓ５０４：端末デバイスは、ネットワークデバイスに第３の表示情報を送信する。
【０３４７】
Ｓ５０６：ネットワークデバイスは、第３の表示情報を受信する。
【０３４８】
Ｓ５０８：ネットワークデバイスは、第３の表示情報に基づいてダウンリンクデータを送信する。
【０３４９】
上記で説明されたように、ネットワークデバイスによって受信される第３の表示情報は、第１の表示情報と第２の表示情報とを含み得ることに留意されたい。さらに、いくつかの可能な実装シナリオでは、第４の表示情報と、第５の表示情報と、第６の表示情報とのうちの少なくとも１つがさらに含まれ得る。第３の表示情報の説明は、上記のコンテンツと同じであり、詳細については、再び説明されない。
【０３５０】
さらに、実現可能な現場のシナリオでは、図５に示されている手順において、ネットワークデバイス側は、以下の方法をさらに含み得る。
【０３５１】
Ｓ５０１：ネットワークデバイスは、端末デバイスにチャネル状態情報基準信号（ＣＳＩ−Ｒｅｆｅｒｅｎｃｅ  Ｓｉｇｎａｌ、ＣＳＩ−ＲＳ）を送信する。
【０３５２】
この実装シナリオでは、端末デバイスが第３の表示情報を生成することは、端末デバイスがネットワークデバイスによって送信されたＣＳＩ−ＲＳを受信した後にトリガされる。これは、可能な実装シナリオであり、この適用例に限定するものではない。
【０３５３】
上記の実施形態における一部または全部のステップまたは動作が例にすぎないことが理解され得る。本出願のこの実施形態では、他の動作または様々な動作の変形形態がさらに実行され得る。さらに、ステップは、上記の実施形態において提示されたシーケンスとは異なるシーケンスで実行され得、上記の実施形態におけるすべての動作が実行される必要があり得るとは限らない。
【０３５４】
上記の実施形態では、端末デバイスによって実装される動作またはステップはまた、端末デバイスにおいて使用され得る構成要素（たとえば、チップまたは回路）によって実装されることが可能であり、コアネットワークノードによって実装される動作またはステップはまた、コアネットワークノードにおいて使用されることが可能である構成要素（たとえば、チップまたは回路）によって実装され得、ネットワークデバイスによって実装される動作またはステップはまた、ネットワークデバイスにおいて使用され得る構成要素（たとえば、チップまたは回路）によって実装されることが可能であることが理解され得る。
【０３５５】
上記の実施形態では、端末によって実装される動作またはステップはまた、端末において使用されることが可能である構成要素（たとえば、チップまたは回路）によって実装され得、コアネットワークノードによって実装される動作またはステップはまた、コアネットワークノードにおいて使用されることが可能である構成要素（たとえば、チップまたは回路）によって実装され得、ネットワークデバイスによって実装される動作またはステップはまた、ネットワークデバイスにおいて使用されることが可能である構成要素（たとえば、チップまたは回路）によって実装され得ることが理解され得る。
【０３５６】
図６は、通信装置の概略構造図である。通信装置は、前述の方法実施形態において説明されたネットワークデバイスに対応する方法、位置決定エンティティに対応する方法、端末に対応する方法、またはターゲットＬＭＵに対応する方法を実装するように構成され得る。詳細については、上記の方法実施形態における説明を参照されたい。
【０３５７】
通信装置６００は、１つまたは複数のプロセッサ６１０を含み得る。プロセッサ６１０は、処理ユニットと呼ばれることもあり、特定の制御機能を実装し得る。プロセッサ６１０は、汎用プロセッサ、専用プロセッサなどであり得る。
【０３５８】
任意の設計では、プロセッサ６１０はまた、第１の命令を記憶し得、第１の命令は、プロセッサによって実行され得、したがって、通信装置６００は、ネットワークデバイスまたは端末デバイスに対応し、上記の方法実施形態において説明された方法を実行する。
【０３５９】
処理要素は、汎用プロセッサ、たとえば、中央処理ユニット（Ｃｅｎｔｒａｌ  Ｐｒｏｃｅｓｓｉｎｇ  Ｕｎｉｔ、ＣＰＵ）であり得るか、または上記の方法を実行する１つまたは複数の集積回路、たとえば、１つもしくは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つもしくは複数のマイクロプロセッサ（Ｄｉｇｉｔａｌ  Ｓｉｇｎａｌ  Ｐｒｏｃｅｓｓｏｒ、ＤＳＰ）、または１つもしくは複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）として構成され得る。記憶要素は、１つのメモリであり得るか、または複数の記憶要素の一般的な用語であり得る。
【０３６０】
別の可能な設計では、通信装置６００は、回路を含み得る。回路は、上記の方法実施形態における送信、受信、または通信機能を実装し得る。
【０３６１】
任意選択で、通信装置６００は、１つまたは複数のメモリ６２０を含み得、メモリ６２０は、第２の命令または中間データを記憶し、第２の命令は、プロセッサ上で実行され得、したがって、通信装置６００は、上記の方法実施形態において説明された方法を実行する。任意選択で、メモリは、他の関係するデータをさらに記憶し得る。任意選択で、プロセッサはまた、命令および／またはデータを記憶し得る。プロセッサとメモリとは、別々に配設され得るか、または一緒に統合され得る。
【０３６２】
任意選択で、通信装置６００は、トランシーバ６３０をさらに含み得る。トランシーバ６３０は、トランシーバユニット、トランシーバ機械、トランシーバ回路、トランシーバなどと呼ばれることがあり、通信装置の送信および受信機能を実装するように構成される。
【０３６３】
通信装置６００中で、プロセッサ６１０と、メモリ６２０と、トランシーバ６３０とは、バスを通して接続される。
【０３６４】
通信装置６００が、図２および図５において示された実施形態における端末デバイスに対応する動作を実装するように構成される場合、プロセッサは、第３の表示情報を生成するように構成され得、トランシーバは、第３の表示情報を送信するようにさらに構成され得る。トランシーバは、別の対応する通信機能をさらに完了し得る。プロセッサは、対応する決定または制御動作を完了するように構成され、任意選択で、メモリ中に対応する命令をさらに記憶し得る。各構成要素の特定の処理方式については、上記の実施形態における関連説明を参照されたい。
【０３６５】
通信装置６００が、図５中のネットワークデバイスに対応する動作を実装するように構成される場合、トランシーバは、端末デバイスによって送信された第３の表示情報を受信し得、プロセッサは、第３の表示情報に基づいてダウンリンクデータを送信するステップを実装し得る。トランシーバは、別の対応する通信機能をさらに完了し得る。プロセッサは、対応する決定または制御動作を完了するように構成され、任意選択で、メモリ中に対応する命令をさらに記憶し得る。各構成要素の特定の処理方式については、上記の実施形態における関連説明を参照されたい。
【０３６６】
本出願において説明されるプロセッサとトランシーバとは、集積回路（Ｉｎｔｅｇｒａｔｅｄ  Ｃｉｒｃｕｉｔ、ＩＣ）、アナログＩＣ、無線周波数集積回路ＲＦＩＣ、ハイブリッド信号ＩＣ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、プリント回路板（Ｐｒｉｎｔｅｄ  Ｃｉｒｃｕｉｔ  Ｂｏａｒｄ、ＰＣＢ）、電子デバイスなどの上に実装され得る。プロセッサとトランシーバとはまた、様々な１Ｃ技術、たとえば、相補型金属酸化物半導体（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳ）、Ｎ形金属酸化物半導体（Ｎ  Ｍｅｔａｌ−Ｏｘｉｄｅ−Ｓｅｍｉｃｏｎｄｕｃｔｏｒ、ＮＭＯＳ）、Ｐ形金属酸化物半導体（Ｐｏｓｉｔｉｖｅ  Ｃｈａｎｎｅｌ  Ｍｅｔａｌ  Ｏｘｉｄｅ  Ｓｅｍｉｃｏｎｄｕｃｔｏｒ、ＰＭＯＳ）、バイポーラ接合トランジスタ（Ｂｉｐｏｌａｒ  Ｊｕｎｃｔｉｏｎ  Ｔｒａｎｓｉｓｔｏｒ、ＢＪＴ）、バイポーラＣＭＯＳ（ＢｉＣＭＯＳ）、シリコンゲルマニウム（ＳｉＧｅ）、およびガリウムヒ素（ＧａＡｓ）を通して製造され得る。
【０３６７】
任意選択で、通信装置は、独立したデバイスであり得るか、または比較的大きいデバイスの一部であり得る。たとえば、デバイスは、
（１）独立した集積回路ＩＣ、チップ、またはチップシステムもしくはサブシステム、
（２）１つまたは複数のＩＣを有するセット、任意選択で、ＩＣセットはまた、データおよび／もしくは命令を記憶するように構成された記憶構成要素を含み得る、
（３）ＡＳＩＣ、たとえば、モデム（ＭＳＭ）、
（４）別のデバイス中に埋め込まれることが可能であるモジュール、
（５）受信機、端末、セルラー電話、ワイヤレスデバイス、ハンドヘルドフォン、モバイルユニット、ネットワークデバイスなど、または
（６）別のデバイスなど
であり得る。
【０３６８】
さらに、図７は、本出願の一実施形態による、通信装置の概略構造図である。図７に示されているように、通信装置７００は、処理モジュール７１０と送信モジュール７２０とを含む。処理モジュール７１０は、第３の表示情報を生成するように構成され、第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、第３の表示情報は、第２の表示情報と第１の表示情報とを含み、第２の表示情報は、ベクトルＤi,j中のＰi,j要素を示すために使用され、ベクトルＤi,jと行列Ｆi,jとは、Ｖi,j＝Ｆi,j×Ｄi,jを満たし、ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、行列Ｗ2（ｋ）のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、第１の表示情報は、第２の表示情報によって示される要素の量を示すために使用され、送信モジュール７２０は、第３の表示情報を送信するように構成される。
【０３６９】
この実施形態において提供される解決策によれば、プリコーディング行列中で報告される要素の量が報告され、したがって、第３の表示情報を受信するネットワークデバイスは、情報に基づいてＣＳＩを復号することができ、端末デバイスは、チャネル状態に基づいて報告された要素の量を動的に調整することができる。これは、ＣＳＩ報告に必要なリソースオーバーヘッドを低減する。
【０３７０】
可能な設計では、ベクトルＶi,jは、Ｗ2(1)（ｉ，ｊ），Ｗ2(2)（ｉ，ｊ），．．．，Ｗ2(K)（ｉ，ｊ）に対応することは、Ｖi,jは、Ｗ2(1)（ｉ，ｊ），Ｗ2(2)（ｉ，ｊ），．．．，Ｗ2(K)（ｉ，ｊ）を含む列ベクトルであること、またはＶi,jは、Ｗ2(1)（ｉ，ｊ），Ｗ2(2)（ｉ，ｊ），．．．，Ｗ2(K)（ｉ，ｊ）の振幅を含む列ベクトルであること、またはＶi,jは、Ｗ2(1)（ｉ，ｊ），Ｗ2(2)（ｉ，ｊ），．．．，Ｗ2(K)（ｉ，ｊ）の位相を含む列ベクトルであることを含む。ベクトルＶi,jは、
【０３７１】
【数７２】
2022501931.tif 000077
【０３７２】
として表され得、ここで、
【０３７３】
【数７３】
2022501931.tif 000078
【０３７４】
は、Ｗ2(k)（ｉ，ｊ）であるか、またはＷ2(k)（ｉ，ｊ）の振幅であるか、またはＷ2(k)（ｉ，ｊ）の位相である。
【０３７５】
可能な設計では、第２の表示情報によって示される要素の量は、Ｐi,jまたはＰi,j−１を含み、（ｉ，ｊ）∈Ｓであり、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【０３７６】
セットＳは、端末デバイスによって報告される必要があるベクトルＤi,j中のｉおよびｊの値の範囲を表す。行列Ｗ2(1)，Ｗ2(2)，．．．，Ｗ2(K)の各行列がＬ個の行とＲ個の列とをもつ行列であることに留意されたい。しかしながら、Ｋ個のＬ×Ｒの行列では、いくつかの要素の振幅は０であり、端末デバイスは、振幅が０である要素に対応するＤi,jを報告しないことがある。したがって、ｉおよびｊの値は、セット｛（ｘ，ｙ）｜（ｘ∈｛１，２，．．．，Ｌ｝，ｙ∈｛１，２，．．．，Ｒ｝）｝の空でないサブセットである。｛（ｘ，ｙ）｜（ｘ∈｛１，２，．．．，Ｌ｝，ｙ∈｛１，２，．．．，Ｒ｝）｝中の（ｘ，ｙ）の値セットは、（１，１），（１，２），．．．，（１，Ｒ），（２，１），（２，２），．．．，（２，Ｒ），．．．，（Ｌ，１），（Ｌ，２），．．．，（Ｌ，Ｒ）である。
【０３７７】
この実施形態において提供される解決策によれば、各ベクトルＤi,j中の要素の量が報告され、したがって、プリコーディング行列中の報告される要素の量が示され、それによって、異常なデータ伝送を回避する。
【０３７８】
可能な設計では、第２の表示情報によって示される要素の量は、Σ(i,j)∈SＰi,jまたはΣ(i,j)∈S（Ｐi,j−１）を含み、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【０３７９】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態において提供される解決策によれば、プリコーディング行列中の報告される要素の総量が直接示され、したがって、端末デバイスによって報告されるデータの量は、ネットワークデバイスがＣＳＩを復調することができるということに基づいて低減されることが可能である。
【０３８０】
可能な設計では、第２の表示情報によって示される要素の量は、Ｐqを含み、ここで、Ｐqは、ｊ＝ｑが与えられるときに要素の量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである。
【０３８１】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態にいて提供される解決策では、各ｊは、プリコーディング行列のレイヤに対応し、したがって、本解決策は、各レイヤに対応する報告される要素の量を報告するために端末デバイスによって使用される。この階層報告方式は、ネットワークデバイスのＣＳＩ復調レートを改善するのに役立つ。
【０３８２】
可能な設計では、ベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の位相であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の位相を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の振幅であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の振幅を取得するために使用される。
【０３８３】
この場合、送信モジュール７２０は、第４の表示情報を送信するようにさらに構成され、第４の表示情報は、ベクトルＤi,j中のＰi,j要素に対応するＷ2(1)（ｉ，ｊ），Ｗ2(2)（ｉ，ｊ），．．．，Ｗ2(K)（ｉ，ｊ）中のＰi,j要素の周波数領域位置を示すために使用される。
【０３８４】
この実施形態において提供される解決策によれば、Ｗ2(k)中のすべての係数は報告される必要がなく、Ｗ2(k)の周波数領域位置を表すことができる変曲点にある要素だけが報告される必要があり、それによって、端末デバイスによって報告されるデータの量を大幅に低減する。
【０３８５】
別の可能な設計では、行列Ｆi,jのＰi,jベクトルは互いに直交する。
【０３８６】
この場合、送信モジュール７２０は、第５の表示情報を送信するようにさらに構成され、第５の表示情報は、行列Ｆi,jを示すために使用される。
【０３８７】
この実施形態において提供される解決策によれば、行列変換が、周波数領域中の係数に対して実行され得、比較的大きい値をもつ限定された量のサンプルポイントが報告のために行列変換の後に取得された結果から選択される。このようにして、端末デバイスによって報告されるデータの量が低減される。
【０３８８】
別の可能な設計では、送信モジュール７２０は、第６の表示情報を送信するようにさらに構成され、第６の表示情報は、ベクトルＤi,jの量であって、（ｉ，ｊ）∈Ｓまたはｉ，ｊは、（ｉ，ｊ）∈Ｓおよびｊ＝ｋを満たし、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量を示すために使用される。セット｛（ｘ，ｙ）｜（ｘ∈｛１，２，．．．，Ｌ｝，ｙ∈｛１，２，．．．，Ｒ｝）｝の意味については、上記の段落において説明されている。
【０３８９】
別の可能な設計では、第１の表示情報は、１つまたは複数のビットマップを含み、各ビットマップは、ベクトルＤi,j中のＰi,j要素の位置を示すために使用される。
【０３９０】
この実施形態では、第１の表示情報は、１つのビットマップを含み、したがって、ビットマップは、Ｋ個の位置中のすべての報告されるベクトルＤi,j中の要素の位置情報を示すために使用される。代替として、第１の表示情報は、Ｒ個のビットマップを含み、ビットマップは、すべての報告されるベクトルＤi,j中でｊの値が１，２，．．．，またはＲであるベクトルＤi,j中の要素のＫ個の位置中の位置情報を示すために使用される。代替として、第１の表示情報は、Ｌ×Ｒのまたは（Ｌ−１）×Ｒのビットマップを含み、ビットマップは、Ｄi,j中にあり、Ｗ2中の各要素またはＷ2の各列中で最大振幅に対応する要素以外の各要素に対応する要素のＫ個の位置中の位置情報を示すために使用される。
【０３９１】
この実施形態において提供される解決策によれば、報告される要素の量が示されるとき、報告される要素の位置が示され得、報告される要素の位置は、別の方式で示される必要がない。この方式は、比較的高い柔軟性とスケーラビリティとを有する。
【０３９２】
別の可能な設計では、第３の表示情報は、チャネル状態情報ＣＳＩであり、ＣＳＩは、第１の表示情報と、ランクインジケータＲＩと、第１のコードワードに対応するチャネル品質インジケータＣＱＩとを含む第１の部分パート１のＣＳＩと、第２の表示情報を含む第２の部分パート２のＣＳＩとを含み、パート１のＣＳＩとパート２のＣＳＩとは、独立して符号化される。このようにして、パート１のＣＳＩは、パート２のＣＳＩ中のビットの量を示し得、したがって、第３の表示情報を受信するネットワークデバイスは、情報に基づいてＣＳＩを復号することができ、それによって、異常なデータ伝送を回避する。
【０３９３】
さらに、図８は、本出願の一実施形態による、通信装置の概略構造図である。図８に示されているように、通信装置８００は、受信モジュール８１０と処理モジュール８２０とを含む。受信モジュール８１０は、第３の表示情報を受信するように構成され、第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、第３の表示情報は、第２の表示情報と第１の表示情報とを含み、第２の表示情報は、ベクトルＤi,j中のＰi,j要素を示すために使用され、ベクトルＤi,jと行列Ｆi,jとは、Ｖi,j＝Ｆi,j×Ｄi,jを満たし、ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、第１の表示情報は、第２の表示情報によって示される要素の量を示すために使用され、処理モジュール８２０は、第３の表示情報に基づいてダウンリンクデータを送信することを行うように構成される。
【０３９４】
この実施形態において提供される解決策によれば、プリコーディング行列中で報告される要素の量が報告され、したがって、第３の表示情報を受信するネットワークデバイスは、情報に基づいてＣＳＩを復号することができ、端末デバイスは、チャネル状態に基づいて報告された要素の量を動的に調整することができる。これは、ＣＳＩ報告に必要なリソースオーバーヘッドを低減する。
【０３９５】
可能な設計では、ベクトルＶi,jは、Ｗ2(1)（ｉ，ｊ），Ｗ2(2)（ｉ，ｊ），．．．，Ｗ2(K)（ｉ，ｊ）に対応することは、Ｖi,jは、Ｗ2(1)（ｉ，ｊ），Ｗ2(2)（ｉ，ｊ），．．．，Ｗ2(K)（ｉ，ｊ）を含む列ベクトルであること、またはＶi,jは、Ｗ2(1)（ｉ，ｊ），Ｗ2(2)（ｉ，ｊ），．．．，Ｗ2(K)（ｉ，ｊ）の振幅を含む列ベクトルであること、またはＶi,jは、Ｗ2(1)（ｉ，ｊ），Ｗ2(2)（ｉ，ｊ），．．．，Ｗ2(K)（ｉ，ｊ）の位相を含む列ベクトルであることを含む。ベクトルＶi,jは、
【０３９６】
【数７４】
2022501931.tif 000079
【０３９７】
として表され得、ここで、
【０３９８】
【数７５】
2022501931.tif 000080
【０３９９】
は、Ｗ2(k)（ｉ，ｊ）であるか、またはＷ2(k)（ｉ，ｊ）の振幅であるか、またはＷ2(k)（ｉ，ｊ）の位相である。
【０４００】
可能な設計では、第２の表示情報によって示される要素の量は、Ｐi,jまたはＰi,j−１を含み、（ｉ，ｊ）∈Ｓであり、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【０４０１】
セットＳは、端末デバイスによって報告される必要があるベクトルＤi,j中のｉおよびｊの値の範囲を表す。行列Ｗ2(1)，Ｗ2(2)，．．．，Ｗ2(K)の各行列がＬ個の行とＲ個の列とをもつ行列であることに留意されたい。しかしながら、Ｋ個のＬ×Ｒの行列では、いくつかの要素の振幅は０であり、端末デバイスは、振幅が０である要素に対応するＤi,jを報告しないことがある。したがって、ｉおよびｊの値は、セット｛（ｘ，ｙ）｜（ｘ∈｛１，２，．．．，Ｌ｝，ｙ∈｛１，２，．．．，Ｒ｝）｝の空でないサブセットである。｛（ｘ，ｙ）｜（ｘ∈｛１，２，．．．，Ｌ｝，ｙ∈｛１，２，．．．，Ｒ｝）｝中の（ｘ，ｙ）の値セットは、（１，１），（１，２），．．．，（１，Ｒ），（２，１），（２，２），．．．，（２，Ｒ），．．．，（Ｌ，１），（Ｌ，２），．．．，（Ｌ，Ｒ）である。
【０４０２】
この実施形態において提供される解決策によれば、各ベクトルＤi,j中の要素の量が報告され、したがって、プリコーディング行列中の報告される要素の量が示され、それによって、異常なデータ伝送を回避する。
【０４０３】
可能な設計では、第２の表示情報によって示される要素の量は、Σ(i,j)∈SＰi,jまたはΣ(i,j)∈S（Ｐi,j−１）を含み、ここで、Ｓは、セット｛（ｘ，ｙ）｜（ｘ∈｛１，２，．．．，Ｌ｝，ｙ∈｛１，２，．．．，Ｒ｝）｝の空でないサブセットである。
【０４０４】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態において提供される解決策によれば、プリコーディング行列中の報告される要素の総量が直接示され、したがって、端末デバイスによって報告されるデータの量は、ネットワークデバイスがＣＳＩを復調することができるということに基づいて低減されることが可能である。
【０４０５】
可能な設計では、第２の表示情報によって示される要素の量は、Ｐqを含み、ここで、Ｐqは、ｊ＝ｑが与えられるときに要素の量Ｐi,jの和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである。
【０４０６】
セット｛（ｘ，ｙ）｜（ｘ∈｛１，２，．．．，Ｌ｝，ｙ∈｛１，２，．．．，Ｒ｝）｝の意味については、上記の段落において説明されている。この実施形態にいて提供される解決策では、各ｊは、プリコーディング行列のレイヤに対応し、したがって、本解決策は、各レイヤに対応する報告される要素の量を報告するために端末デバイスによって使用される。この階層報告方式は、ネットワークデバイスのＣＳＩ復調レートを改善するのに役立つ。
【０４０７】
可能な設計では、ベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の位相であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の位相を取得するために使用されるか、またはベクトルＤi,j中のＰi,j要素は、Ｗ2(1)（ｉ，ｊ），Ｗ2(2)（ｉ，ｊ），．．．，Ｗ2(K)（ｉ，ｊ）中のＰi,j要素の振幅であり、行列Ｆi,jは、ベクトルＤi,j中のＰi,j要素に基づいてＷ2(1)（ｉ，ｊ），Ｗ2(2)（ｉ，ｊ），．．．，Ｗ2(K)（ｉ，ｊ）の振幅を取得するために使用される。
【０４０８】
この場合、受信モジュール８１０は、第４の表示情報を受信するようにさらに構成され、第４の表示情報は、ベクトルＤi,j中のＰi,j要素に対応するＷ2(1)（ｉ，ｊ），Ｗ2(2)（ｉ，ｊ），．．．，Ｗ2(K)（ｉ，ｊ）中のＰi,j要素の周波数領域位置を示すために使用される。
【０４０９】
この実施形態において提供される解決策によれば、Ｗ2(k)中のすべての係数は報告される必要がなく、Ｗ2(k)の周波数領域位置を表すことができる変曲点にある要素だけが報告される必要があり、それによって、端末デバイスによって報告されるデータの量を大幅に低減する。
【０４１０】
別の可能な設計では、行列Ｆi,jのＰi,jベクトルは互いに直交する。
【０４１１】
この場合、受信モジュール８１０は、第５の表示情報を受信するようにさらに構成され、第５の表示情報は、行列Ｆi,jを示すために使用される。
【０４１２】
この実施形態において提供される解決策によれば、行列変換が、周波数領域中の係数に対して実行され得、比較的大きい値をもつ限定された量のサンプルポイントが報告のために行列変換の後に取得された結果から選択される。このようにして、端末デバイスによって報告されるデータの量が低減される。
【０４１３】
別の可能な設計では、受信モジュール８１０は、第６の表示情報を受信するようにさらに構成され、第６の表示情報は、ベクトルＤi,jの量であって、（ｉ，ｊ）∈Ｓまたは（ｉ，ｊ）∈Ｓおよびｊ＝ｑが満たされ、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量を示すために使用される。セット｛（ｘ，ｙ）｜（ｘ∈｛１，２，．．．，Ｌ｝，ｙ∈｛１，２，．．．，Ｒ｝）｝の意味については、上記の段落において説明されている。
【０４１４】
別の可能な設計では、第１の表示情報は、１つまたは複数のビットマップを含み、各ビットマップは、ベクトルＤi,j中のＰi,j要素の位置を示すために使用される。
【０４１５】
この実施形態では、第１の表示情報は、１つのビットマップを含み、したがって、ビットマップは、Ｋ個の位置中のすべての報告されるベクトルＤi,j中の要素の位置情報を示すために使用される。代替として、第１の表示情報は、Ｒ個のビットマップを含み、ビットマップは、すべての報告されるベクトルＤi,j中でｊの値が１，２，．．．，またはＲであるベクトルＤi,j中の要素のＫ個の位置中の位置情報を示すために使用される。代替として、第１の表示情報は、Ｌ×Ｒ個のまたは（Ｌ−１）×Ｒ個のビットマップを含み、ビットマップは、Ｄi,j中にあり、Ｗ2中の各要素またはＷ2の各列中で最大振幅に対応する要素以外の各要素に対応する要素のＫ個の位置中の位置情報を示すために使用される。
【０４１６】
この実施形態において提供される解決策によれば、報告される要素の量が示されるとき、報告される要素の位置が示され得、報告される要素の位置は、別の方式で示される必要がない。この方式は、比較的高い柔軟性とスケーラビリティとを有する。
【０４１７】
別の可能な設計では、第３の表示情報は、チャネル状態情報ＣＳＩであり、ＣＳＩは、第１の表示情報と、ランクインジケータＲＩと、第１のコードワードに対応するチャネル品質インジケータＣＱＩとを含む第１の部分パート１のＣＳＩと、第２の表示情報を含む第２の部分パート２のＣＳＩとを含み、パート１のＣＳＩとパート２のＣＳＩとは、独立して符号化される。このようにして、パート１のＣＳＩは、パート２のＣＳＩ中のビットの量を示し得、したがって、第３の表示情報を受信するネットワークデバイスは、情報に基づいてＣＳＩを復号することができ、それによって、異常なデータ伝送を回避する。
【０４１８】
図７および図８に示されている通信装置の上記のモジュールへの区分は、論理機能区分にすぎないことを理解されたい。実際の実装では、モジュールの全部または一部は、１つの物理的エンティティに統合され得るか、または物理的に分離され得る。さらに、モジュールのすべては、処理要素によって呼び出されるソフトウェアの形態でまたはハードウェアの形態で実装され得る。代替として、モジュールのいくつかは、処理要素によって呼び出されるソフトウェアの形態でまたはモジュールのいくつかは、ハードウェアの形態で実装され得る。たとえば、処理モジュールは、独立して配設された処理要素であり得るか、または実装のために通信装置、たとえば、ネットワークデバイスのチップに統合され得る。さらに、処理モジュールは、上記のモジュールの各々の機能を実行するために通信装置の処理要素によって呼び出されるプログラムの形態で通信装置のメモリ中に記憶され得る。他のモジュールの実装は、同様である。さらに、モジュールの全部または一部は、一緒に統合され得るか、または独立して実装され得る。本明細書で説明される処理要素は、信号処理能力をもつ集積回路であり得る。一実装処理では、方法中のステップまたはモジュールは、処理要素中のハードウェア集積論理回路を使用することによってまたはソフトウェアの形態で命令を使用することによって実装されることが可能である。
【０４１９】
たとえば、上記のモジュールは、上記の方法を実装するように構成された１つまたは複数の集積回路、たとえば、１つもしくは複数のＡＳＩＣ、１つもしくは複数のＤＳＰ、または１つもしくは複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）であり得る。別の例では、上記のモジュールのうちの１つが処理要素によってプログラムをスケジュールする形態で実装されるとき、処理要素は、汎用プロセッサ、たとえば、中央処理ユニット（Ｃｅｎｔｒａｌ  Ｐｒｏｃｅｓｓｉｎｇ  Ｕｎｉｔ、ＣＰＵ）またはプログラムを呼び出すことができる別のプロセッサであり得る。さらに別の例では、モジュールは、一緒に統合され、システムオンチップ（Ｓｙｓｔｅｍ−Ｏｎ−ａ−Ｃｈｉｐ、ＳＯＣ）の形態で実装され得る。
【０４２０】
本出願の一実施形態は、通信装置をさらに提供し、通信装置は、端末デバイスであり得るか、または端末デバイス中のチップであり得る。通信装置は、上記の方法実施形態における端末デバイスによって実行される行為を実行するように構成され得る。
【０４２１】
本出願の一実施形態は、通信装置をさらに提供し、通信装置は、端末デバイスまたは回路であり得る。通信装置は、上記の方法実施形態における端末デバイスによって実行される行為を実行するように構成され得る。
【０４２２】
通信装置が端末デバイスであるとき、図９は、端末デバイスの簡略化概略構造図である。図示の理解のしやすさ、および利便性のために、端末デバイスがモバイルフォンである一例が図９において使用される。図９に示されるように、端末デバイスは、プロセッサと、メモリと、無線周波数回路と、アンテナと、入出力装置とを含む。プロセッサは、主に、通信プロトコルと通信データとを処理すること、端末デバイスを制御すること、ソフトウェアプログラムを実行すること、ソフトウェアプログラムのデータを処理することなどを行うように構成される。メモリは、主に、ソフトウェアプログラムとデータとを記憶するように構成される。無線周波数回路は、主に、ベースバンド信号と無線周波信号との間の変換を実行し、無線周波信号を処理するように構成される。アンテナは、主に、電磁波の形態で無線周波信号を送受信するように構成される。タッチスクリーン、ディスプレイスクリーン、およびキーボードなどの入出力装置は、主に、ユーザによるデータ入力を受信し、ユーザにデータを出力するように構成される。いくつかのタイプの端末デバイスは、入出力装置を有しないことがあることに留意されたい。
【０４２３】
データを送信する必要があるとき、送信されるべきデータに対してベースバンド処理を実行した後に、プロセッサは、無線周波数回路にベースバンド信号を出力する。ベースバンド信号に対して無線周波数処理を実行した後に、無線周波数回路は、アンテナを介して電磁波の形態で無線周波信号を送信する。データを端末デバイスに送信するとき、無線周波数回路は、アンテナを介して無線周波信号を受信し、ベースバンド信号に無線周波信号を変換し、プロセッサにベースバンド信号を出力する。プロセッサは、ベースバンド信号をデータに変換し、データを処理する。説明を容易にするために、図９は、ただ１つのメモリとプロセッサとを示す。実際の端末デバイス製品では、１つまたは複数のプロセッサと１つまたは複数のメモリとがあり得る。メモリは、記憶媒体、ストレージデバイスなどと呼ばれることもある。メモリは、プロセッサとは無関係に配設され得るか、またはプロセッサに統合され得る。これは、本出願のこの実施形態では限定されない。
【０４２４】
本出願のこの実施形態では、送受信機能を有するアンテナと無線周波数回路とは、端末デバイスのトランシーバユニットと見なされ得、処理機能を有するプロセッサは、端末デバイスの処理ユニットと見なされ得る。図９に示されているように、端末デバイスは、トランシーバユニット９１０と処理ユニット９２０とを含む。トランシーバユニットは、トランシーバ、トランシーバ機械、トランシーバ装置などと呼ばれることもある。処理ユニットは、プロセッサ、処理ボード、処理モジュール、処理装置などと呼ばれることもある。任意選択で、トランシーバユニット９１０中にあり、受信機能を実装するように構成された構成要素は、受信ユニットとして見なされ得、トランシーバユニット９１０中にあり、送信機能を実装するように構成された構成要素は、送信ユニットと見なされ得る。言い換えれば、トランシーバユニット９１０は、受信ユニットと送信ユニットとを含む。トランシーバユニットは、時々、トランシーバ機械、トランシーバ、トランシーバ回路などと呼ばれることもある。受信ユニットは、時々、受信機械、受信機、受信回路などと呼ばれることもある。送信ユニットは、時々、送信機械、送信機、送信回路などと呼ばれることもある。
【０４２５】
トランシーバユニット９１０は、上記の方法実施形態における端末側上の送信動作と受信動作とを実行するように構成され、処理ユニット９２０は、上記の方法実施形態における端末デバイスの受信／送信動作以外の動作を実行するように構成されることを理解されたい。
【０４２６】
たとえば、一実装では、トランシーバユニット９１０は、図２中のＳ２０４における端末側上の送信動作を実行するように構成され、および／またはトランシーバユニット９１０は、本出願の実施形態における端末側上の別の送受信ステップを実行するようにさらに構成される。処理ユニット９２０は、図２中のＳ２０２における端末側上のステップを実行するように構成され、および／または処理ユニット９２０は、本出願の実施形態における端末側上の別の処理ステップを実行するようにさらに構成される。
【０４２７】
通信装置がチップであるとき、チップは、トランシーバユニットと処理ユニットとを含む。トランシーバユニットは、入出力回路または通信インターフェースであり得る。処理ユニットは、プロセッサ、マイクロプロセッサ、またはチップ上で統合される集積回路である。
【０４２８】
この実施形態における通信装置が端末デバイスであるとき、図１０に示されているデバイスへの参照が行われ得る。一例では、デバイスは、図６中のプロセッサ６１０の機能と同様の機能を実装することができる。図１０では、デバイスは、プロセッサ１０１０と、データ送信プロセッサ１０２０と、データ受信プロセッサ１０３０とを含む。上記の実施形態における処理モジュール１０１０は、図１０中のプロセッサ１０１０であり得、対応する機能を完了する。上記の実施形態におけるトランシーバモジュール１０３０は、図１０中のデータ送信プロセッサ１０２０および／またはデータ受信プロセッサ１０３０であり得る。図１０がチャネルエンコーダとチャネルデコーダとを示すが、これらのモジュールは例にすぎず、この実施形態の制限的な説明を構成しないことが理解され得る。
【０４２９】
図１１は、この実施形態の別の形態を示す。処理装置１１００は、変調サブシステム、中央処理サブシステム、および周辺サブシステムなどのモジュールを含む。この実施形態における通信装置は、処理装置１１００中の変調サブシステムとして使用され得る。特に、変調サブシステムは、プロセッサ１１０３とインターフェース１１０４とを含み得る。プロセッサ１１０３は、プロセッサ６１０の機能を完了し、インターフェース１１０４は、トランシーバ６３０の機能を完了する。別の変形形態では、変調サブシステムは、メモリ１１０６と、プロセッサ１１０３と、メモリ１１０６中に記憶され、プロセッサ上で実行されることが可能であるプログラムとを含む。プログラムを実行するときに、プロセッサ１１０３は、上記の方法実施形態における端末側上の方法を実装する。メモリ１１０６が不揮発性であることも揮発性であることもあり得ることに留意されたい。メモリ１１０６がプロセッサ１１０３に接続されることが可能であるという条件で、メモリ１１０６は、変調サブシステム中に位置し得るかまたは処理装置１１００中に位置し得る。
【０４３０】
この実施形態の別の形態では、コンピュータ可読記憶媒体が提供される。コンピュータ可読記憶媒体は、命令を記憶する。命令が実行されるとき、上記の方法実施形態における端末側上の方法が実行される。
【０４３１】
この実施形態の別の形態では、命令を含むコンピュータプログラム製品が提供される。命令が実行されるとき、上記の方法実施形態における端末側上の方法が実行される。
【０４３２】
さらに、本出願の一実施形態は、コンピュータ可読記憶媒体をさらに提供する。コンピュータ可読記憶媒体は、コンピュータプログラムを記憶する。コンピュータプログラムがコンピュータ上で実行されるとき、コンピュータは、上記の実施形態におけるプリコーディング行列表示方法を実行することが可能になる。
【０４３３】
さらに、本出願の一実施形態は、コンピュータプログラム製品をさらに提供する。コンピュータプログラム製品は、コンピュータプログラムを含む。コンピュータプログラムがコンピュータ上で実行されるとき、コンピュータは、上記の実施形態における方法を実行することが可能になる。
【０４３４】
上記の実施形態の全部または一部は、ソフトウェア、ハードウェア、ファームウェア、またはそれらの任意の組合せを使用することによって実装され得る。ソフトウェアが実施形態を実装するために使用されるとき、実施形態は、コンピュータプログラム製品の形態で完全にまたは部分的に実装され得る。コンピュータプログラム製品は、１つまたは複数のコンピュータ命令を含む。コンピュータプログラム命令がコンピュータ上にロードされ、実行されるとき、本出願による手順または機能がすべてまたは部分的に生成される。コンピュータは、汎用コンピュータ、専用コンピュータ、コンピュータネットワーク、または別のプログラマブル装置であり得る。コンピュータ命令は、コンピュータ可読記憶媒体中に記憶され得るか、またはコンピュータ可読記憶媒体から別のコンピュータ可読記憶媒体に伝送され得る。たとえば、コンピュータ命令は、ワイヤード（たとえば、同軸ケーブル、光ファイバ、またはデジタル加入者回線）またはワイヤレス（たとえば、赤外線、無線、またはマイクロ波）の方式でウェブサイト、コンピュータ、サーバ、またはデータセンターから別のウェブサイト、コンピュータ、サーバ、またはデータセンターに伝送され得る。コンピュータ可読記憶媒体は、コンピュータによってアクセス可能な任意の使用可能な媒体または１つもしくは複数の使用可能な媒体を統合するサーバおよびデータセンターなどのデータストレージデバイスであり得る。使用可能な媒体は、磁気媒体（たとえば、フロッピーディスク、ハードディスク、または磁気テープ）、光媒体（たとえば、ＤＶＤ）、半導体媒体（たとえば、ソリッドステートドライブ（Ｓｏｌｉｄ  Ｓｔａｔｅ  Ｄｉｓｋ））などであり得る。
【０４３５】
上記の説明は、本発明の特定の実装にすぎず、本発明の保護範囲を限定するものではない。本発明で開示される技術範囲内で当業者によって容易に想到されるいかなる変形形態または置換形態も、本発明の保護範囲内に入るものである。したがって、本発明の保護範囲は、特許請求の範囲の保護範囲に従わなければならないものである。
【図１】
2022501931.tif 000081
【図２】
2022501931.tif 000082
【図３】
2022501931.tif 000083
【図４】
2022501931.tif 000084
【図５】
2022501931.tif 000085
【図６】
2022501931.tif 000086
【図７】
2022501931.tif 000087
【図８】
2022501931.tif 000088
【図９】
2022501931.tif 000089
【図１０】
2022501931.tif 000090
【図１１】
2022501931.tif 000091
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
プリコーディング行列表示方法であって、
端末デバイスによって、第３の表示情報を生成するステップであって、前記第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、
前記第３の表示情報は、第２の表示情報と第１の表示情報とを備え、
前記第２の表示情報は、ベクトルＤi,j中のＰi,j要素を示すために使用され、前記ベクトルＤi,jと行列Ｆi,jとは、Ｖi,j＝Ｆi,j×Ｄi,jを満たし、前記ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、前記行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、
前記第１の表示情報は、前記第２の表示情報によって示される前記要素の量を示すために使用される、ステップと、
前記端末デバイスによって、前記第３の表示情報を送信するステップと
を備える方法。
【請求項２】
前記ベクトルＶi,jがＷ2(1)（ｉ，ｊ），Ｗ2(2)（ｉ，ｊ），．．．，Ｗ2(K)（ｉ，ｊ）に対応することは、
Ｖi,jが、Ｗ2(1)（ｉ，ｊ），Ｗ2(2)（ｉ，ｊ），．．．，Ｗ2(K)（ｉ，ｊ）からなる列ベクトルであること、または
Ｖi,jが、Ｗ2(1)（ｉ，ｊ），Ｗ2(2)（ｉ，ｊ），．．．，Ｗ2(K)（ｉ，ｊ）の振幅からなる列ベクトルであること、または
Ｖi,jが、Ｗ2(1)（ｉ，ｊ），Ｗ2(2)（ｉ，ｊ），．．．，Ｗ2(K)（ｉ，ｊ）の位相からなる列ベクトルであること
を備える請求項１に記載の方法。
【請求項３】
前記第２の表示情報によって示される前記要素の前記量は、Ｐi,jまたはＰi,j−１を備え、（ｉ，ｊ）∈Ｓであり、Ｓは、セット｛（ｘ，ｙ）｜（ｘ∈｛１，２，．．．，Ｌ｝，ｙ∈｛１，２，．．．，Ｒ｝）｝の空でないサブセットである請求項１または２に記載の方法。
【請求項４】
前記第２の表示情報によって示される前記要素の前記量は、Σ(i,j)∈SＰi,jまたはΣ(i,j)∈S（Ｐi,j−１）を備え、Ｓは、セット｛（ｘ，ｙ）｜（ｘ∈｛１，２，．．．，Ｌ｝，ｙ∈｛１，２，．．．，Ｒ｝）｝の空でないサブセットである請求項１または２に記載の方法。
【請求項５】
前記第２の表示情報によって示される前記要素の前記量は、Ｐqを備え、Ｐqは、ｊ＝ｑが与えられるときに前記Ｐi,j要素の量の和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである請求項１または２に記載の方法。
【請求項６】
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の位相であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の位相を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の振幅であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の振幅を取得するために使用される
請求項１乃至５のいずれか一項に記載の方法。
【請求項７】
前記端末デバイスによって、第４の表示情報を送信するステップであって、前記第４の表示情報は、前記ベクトルＤi,j中の前記Ｐi,j要素に対応するＷ2(1)（ｉ，ｊ），Ｗ2(2)（ｉ，ｊ），．．．，Ｗ2(K)（ｉ，ｊ）中の前記Ｐi,j要素の周波数領域位置を示すために使用される、ステップ
をさらに備える請求項６に記載の方法。
【請求項８】
前記行列Ｆi,jのＰi,jベクトルは互いに直交する請求項１乃至５のいずれか一項に記載の方法。
【請求項９】
前記端末デバイスによって、第５の表示情報を送信するステップであって、前記第５の表示情報は、前記行列Ｆi,jを示すために使用される、送信するステップ
をさらに備える請求項８に記載の方法。
【請求項１０】
前記端末デバイスによって、第６の表示情報を送信するステップであって、前記第６の表示情報は、
前記ベクトルＤi,jの量であって、（ｉ，ｊ）∈Ｓまたは（ｉ，ｊ）∈Ｓおよびｊ＝ｑが満たされ、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量
を示すために使用される、ステップ
をさらに備える請求項１乃至９のいずれか一項に記載の方法。
【請求項１１】
前記第１の表示情報は、１つまたは複数のビットマップを備え、
各ビットマップは、前記ベクトルＤi,j中の前記Ｐi,j要素の位置を示すために使用される
請求項１乃至１０のいずれか一項に記載の方法。
【請求項１２】
前記第３の表示情報は、チャネル状態情報  ＣＳＩであり、前記ＣＳＩは、
前記第１の表示情報と、ランクインジケータＲＩと、第１のコードワードに対応するチャネル品質インジケータＣＱＩとを備える第１の部分  パート１のＣＳＩと、
前記第２の表示情報を備える第２の部分  パート２のＣＳＩと
を備え、
前記パート１のＣＳＩと前記パート２のＣＳＩとは、独立して符号化される
請求項１乃至１１のいずれか一項に記載の方法。
【請求項１３】
プリコーディング行列表示方法であって、
ネットワークデバイスによって、第３の表示情報を受信するステップであって、前記第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、
前記第３の表示情報は、第２の表示情報と第１の表示情報とを備え、
前記第２の表示情報は、ベクトルＤi,j中のＰi,j要素を示すために使用され、前記ベクトルＤi,jと行列Ｆi,jとは、Ｖi,j＝Ｆi,j×Ｄi,jを満たし、前記ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、前記行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、
前記第１の表示情報は、前記第２の表示情報によって示される前記要素の量を示すために使用される、ステップと、
前記ネットワークデバイスによって、前記第３の表示情報に基づいてダウンリンクデータを送信するステップと
を備える方法。
【請求項１４】
前記ベクトルＶi,jがＷ2(1)（ｉ，ｊ），Ｗ2(2)（ｉ，ｊ），．．．，Ｗ2(K)（ｉ，ｊ）に対応することは、
Ｖi,jが、Ｗ2(1)（ｉ，ｊ），Ｗ2(2)（ｉ，ｊ），．．．，Ｗ2(K)（ｉ，ｊ）からなる列ベクトルであること、または
Ｖi,jが、Ｗ2(1)（ｉ，ｊ），Ｗ2(2)（ｉ，ｊ），．．．，Ｗ2(K)（ｉ，ｊ）の振幅からなる列ベクトルであること、または
Ｖi,jが、Ｗ2(1)（ｉ，ｊ），Ｗ2(2)（ｉ，ｊ），．．．，Ｗ2(K)（ｉ，ｊ）の位相からなる列ベクトルであること
を備える請求項１３に記載の方法。
【請求項１５】
前記第２の表示情報によって示される前記要素の前記量は、Ｐi,jまたはＰi,j−１を備え、（ｉ，ｊ）∈Ｓであり、Ｓは、セット｛（ｘ，ｙ）｜（ｘ∈｛１，２，．．．，Ｌ｝，ｙ∈｛１，２，．．．，Ｒ｝）｝の空でないサブセットである請求項１３または１４に記載の方法。
【請求項１６】
前記第２の表示情報によって示される前記要素の前記量は、Σ(i,j)∈SＰi,jまたはΣ(i,j)∈S（Ｐi,j−１）を備え、Ｓは、セット｛（ｘ，ｙ）｜（ｘ∈｛１，２，．．．，Ｌ｝，ｙ∈｛１，２，．．．，Ｒ｝）｝の空でないサブセットである請求項１３または１４に記載の方法。
【請求項１７】
前記第２の表示情報によって示される前記要素の前記量は、Ｐqを備え、Ｐqは、ｊ＝ｑが与えられるときに前記Ｐi,j要素の量の和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである請求項１３または１４に記載の方法。
【請求項１８】
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の位相であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の位相を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の振幅であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の振幅を取得するために使用される
請求項１３乃至１７のいずれか一項に記載の方法。
【請求項１９】
前記ネットワークデバイスによって、第４の表示情報を受信するステップであって、前記第４の表示情報は、前記ベクトルＤi,j中の前記Ｐi,j要素に対応するＷ2(1)（ｉ，ｊ），Ｗ2(2)（ｉ，ｊ），．．．，Ｗ2(K)（ｉ，ｊ）中の前記Ｐi,j要素の周波数領域位置を示すために使用される、ステップ
をさらに備える請求項１８に記載の方法。
【請求項２０】
前記行列Ｆi,jのＰi,jベクトルは互いに直交する請求項１３乃至１７のいずれか一項に記載の方法。
【請求項２１】
前記ネットワークデバイスによって、第５の表示情報を受信するステップであって、前記第５の表示情報は、前記行列Ｆi,jを示すために使用される、するステップ
をさらに備える請求項２０に記載の方法。
【請求項２２】
前記ネットワークデバイスによって、第６の表示情報を受信するステップであって、前記第６の表示情報は、
前記ベクトルＤi,jの量であって、（ｉ，ｊ）∈Ｓまたは（ｉ，ｊ）∈Ｓおよびｊ＝ｑが満たされ、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量
を示すために使用される、ステップ
をさらに備える請求項１３乃至２１のいずれか一項に記載の方法。
【請求項２３】
前記第１の表示情報は、１つまたは複数のビットマップを備え、
各ビットマップは、前記ベクトルＤi,j中の前記Ｐi,j要素の位置を示すために使用される
請求項１３乃至２２のいずれか一項に記載の方法。
【請求項２４】
前記第３の表示情報は、チャネル状態情報  ＣＳＩであり、前記ＣＳＩは、
前記第１の表示情報と、ランクインジケータＲＩと、第１のコードワードに対応するチャネル品質インジケータＣＱＩとを備える第１の部分  パート１のＣＳＩと、
前記第２の表示情報を備える第２の部分  パート２のＣＳＩと
を備え、
前記パート１のＣＳＩと前記パート２のＣＳＩとは、独立して符号化される
請求項１３乃至２３のいずれか一項に記載の方法。
【請求項２５】
第３の表示情報を生成するように構成された処理モジュールであって、前記第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、
前記第３の表示情報は、第２の表示情報と第１の表示情報とを備え、
前記第２の表示情報は、ベクトルＤi,j中のＰi,j要素を示すために使用され、前記ベクトルＤi,jと行列Ｆi,jとは、Ｖi,j＝Ｆi,j×Ｄi,jを満たし、前記ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、前記行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、
前記第１の表示情報は、前記第２の表示情報によって示される前記要素の量を示すために使用される、処理モジュールと、
前記第３の表示情報に基づいてダウンリンクデータを送信するように構成された送信モジュールと
を備える通信装置。
【請求項２６】
前記ベクトルＶi,jがＷ2(1)（ｉ，ｊ），Ｗ2(2)（ｉ，ｊ），．．．，Ｗ2(K)（ｉ，ｊ）に対応することは、
Ｖi,jが、Ｗ2(1)（ｉ，ｊ），Ｗ2(2)（ｉ，ｊ），．．．，Ｗ2(K)（ｉ，ｊ）からなる列ベクトルであること、または
Ｖi,jが、Ｗ2(1)（ｉ，ｊ），Ｗ2(2)（ｉ，ｊ），．．．，Ｗ2(K)（ｉ，ｊ）の振幅からなる列ベクトルであること、または
Ｖi,jが、Ｗ2(1)（ｉ，ｊ），Ｗ2(2)（ｉ，ｊ），．．．，Ｗ2(K)（ｉ，ｊ）の位相からなる列ベクトルであること
を備える請求項２５に記載の通信装置。
【請求項２７】
前記第２の表示情報によって示される前記要素の前記量は、Ｐi,jまたはＰi,j−１を備え、（ｉ，ｊ）∈Ｓであり、Ｓは、セット｛（ｘ，ｙ）｜（ｘ∈｛１，２，．．．，Ｌ｝，ｙ∈｛１，２，．．．，Ｒ｝）｝の空でないサブセットである請求項２５または２６に記載の通信装置。
【請求項２８】
前記第２の表示情報によって示される前記要素の前記量は、Σ(i,j)∈SＰi,jまたはΣ(i,j)∈S（Ｐi,j−１）を備え、Ｓは、セット｛（ｘ，ｙ）｜（ｘ∈｛１，２，．．．，Ｌ｝，ｙ∈｛１，２，．．．，Ｒ｝）｝の空でないサブセットである請求項２５または２６に記載の通信装置。
【請求項２９】
前記第２の表示情報によって示される前記要素の前記量は、Ｐqを備え、Ｐqは、ｊ＝ｑが与えられるときに前記Ｐi,j要素の量の和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである請求項２５または２６に記載の通信装置。
【請求項３０】
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の位相であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の位相を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の振幅であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の振幅を取得するために使用される請求項２５乃至２９のいずれか一項に記載の通信装置。
【請求項３１】
前記送信モジュールは、
第４の表示情報を送信するようにさらに構成され、前記第４の表示情報は、前記ベクトルＤi,j中の前記Ｐi,j要素に対応するＷ2(1)（ｉ，ｊ），Ｗ2(2)（ｉ，ｊ），．．．，Ｗ2(K)（ｉ，ｊ）中の前記Ｐi,j要素の周波数領域位置を示すために使用される請求項３０に記載の通信装置。
【請求項３２】
前記行列Ｆi,jのＰi,jベクトルは互いに直交する請求項２５乃至２９のいずれか一項に記載の通信装置。
【請求項３３】
前記送信モジュールは、
第５の表示情報を送信するようにさらに構成され、前記第５の表示情報は、前記行列Ｆi,jを示すために使用される請求項３２に記載の通信装置。
【請求項３４】
前記送信モジュールは、
第６の表示情報を送信するようにさらに構成され、前記第６の表示情報は、
前記ベクトルＤi,jの量であって、（ｉ，ｊ）∈Ｓまたは（ｉ，ｊ）∈Ｓおよびｊ＝ｑが満たされ、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量
を示すために使用される請求項２５乃至３３のいずれか一項に記載の通信装置。
【請求項３５】
前記第１の表示情報は、１つまたは複数のビットマップを備え、
各ビットマップは、前記ベクトルＤi,j中の前記Ｐi,j要素の位置を示すために使用される
請求項２５乃至３４のいずれか一項に記載の通信装置。
【請求項３６】
前記第３の表示情報は、チャネル状態情報  ＣＳＩであり、前記ＣＳＩは、
前記第１の表示情報と、ランクインジケータＲＩと、第１のコードワードに対応するチャネル品質インジケータＣＱＩとを備える第１の部分  パート１のＣＳＩと、
前記第２の表示情報を備える第２の部分  パート２のＣＳＩと
を備え、
前記パート１のＣＳＩと前記パート２のＣＳＩとは、独立して符号化される
請求項２５乃至３５のいずれか一項に記載の通信装置。
【請求項３７】
第３の表示情報を受信するように構成された受信モジュールであって、前記第３の表示情報は、Ｗ2(1)，Ｗ2(2)，．．．，Ｗ2(K)を示すために使用され、Ｗ(k)は、ｋ番目の周波数領域ユニット中のプリコーディング行列であり、Ｗ(k)は、Ｗ(k)＝Ｗ1×Ｗ2(k)を満たし、Ｗ1は、Ｎt×Ｌの行列であり、Ｗ2(k)は、Ｌ×Ｒの行列であり、０＜ｋ≦Ｋであり、Ｋは、周波数領域ユニットの量であり、
前記第３の表示情報は、第２の表示情報と第１の表示情報とを備え、
前記第２の表示情報は、ベクトルＤi,j中のＰi,j要素を示すために使用され、前記ベクトルＤi,jと行列Ｆi,jとは、Ｖi,j＝Ｆi,j×Ｄi,jを満たし、前記ベクトルＶi,jは、Ｗ2(1)（ｉ，ｊ），Ｗ2(2)（ｉ，ｊ），．．．，Ｗ2(K)（ｉ，ｊ）に対応し、Ｗ2(k)（ｉ，ｊ）は、前記行列Ｗ2(k)のｉ番目の行およびｊ番目の列の複素数であり、Ｆi,jは、Ｋ×Ｐi,jの行列であり、０＜ｉ≦Ｌであり、０＜ｊ≦Ｒであり、Ｐi,j＜Ｋであり、
前記第１の表示情報は、前記第２の表示情報によって示される前記要素の量を示すために使用される、受信モジュールと、
前記第３の表示情報に基づいてダウンリンクデータを送信するように構成された処理モジュールと
を備える通信装置。
【請求項３８】
前記ベクトルＶi,jがＷ2(1)（ｉ，ｊ），Ｗ2(2)（ｉ，ｊ），．．．，Ｗ2(K)（ｉ，ｊ）に対応することは、
Ｖi,jが、Ｗ2(1)（ｉ，ｊ），Ｗ2(2)（ｉ，ｊ），．．．，Ｗ2(K)（ｉ，ｊ）からなる列ベクトルであること、または
Ｖi,jが、Ｗ2(1)（ｉ，ｊ），Ｗ2(2)（ｉ，ｊ），．．．，Ｗ2(K)（ｉ，ｊ）の振幅からなる列ベクトルであること、または
Ｖi,jが、Ｗ2(1)（ｉ，ｊ），Ｗ2(2)（ｉ，ｊ），．．．，Ｗ2(K)（ｉ，ｊ）の位相からなる列ベクトルであること
を備える請求項３７に記載の通信装置。
【請求項３９】
前記第２の表示情報によって示される前記要素の前記量は、Ｐi,jまたはＰi,j−１を備え、（ｉ，ｊ）∈Ｓであり、Ｓは、セット｛（ｘ，ｙ）｜（ｘ∈｛１，２，．．．，Ｌ｝，ｙ∈｛１，２，．．．，Ｒ｝）｝の空でないサブセットである請求項３７または３８に記載の通信装置。
【請求項４０】
前記第２の表示情報によって示される前記要素の前記量は、Σ(i,j)∈SＰi,jまたはΣ(i,j)∈S（Ｐi,j−１）を備え、Ｓは、セット｛（ｘ，ｙ）｜（ｘ∈｛１，２，．．．，Ｌ｝，ｙ∈｛１，２，．．．，Ｒ｝）｝の空でないサブセットである請求項３７または３８に記載の通信装置。
【請求項４１】
前記第２の表示情報によって示される前記要素の前記量は、Ｐqを備え、Ｐqは、ｊ＝ｑが与えられるときに前記Ｐi,j要素の量の和であり、Ｐq＝Σj=qおよび(i,j)∈SＰi,jまたはＰq＝Σj=qおよび(i,j)∈S（Ｐi,j−１）であり、Ｓは、セット｛（ｘ，ｙ）｜（ｘ∈｛１，２，．．．，Ｌ｝，ｙ∈｛１，２，．．．，Ｒ｝）｝の空でないサブセットである請求項３７または３８に記載の通信装置。
【請求項４２】
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の位相であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の位相を取得するために使用されるか、または
前記ベクトルＤi,j中の前記Ｐi,j要素は、Ｗ2(1)（ｉ，ｊ），Ｗ2(2)（ｉ，ｊ），．．．，Ｗ2(K)（ｉ，ｊ）中のＰi,j 要素の振幅であり、前記行列Ｆi,jは、前記ベクトルＤi,j中の前記Ｐi,j要素に基づいてＷ2(1)（ｉ，ｊ），Ｗ2(2)（ｉ，ｊ），．．．，Ｗ2(K)（ｉ，ｊ）の振幅を取得するために使用される
請求項３７乃至４１のいずれか一項に記載の通信装置。
【請求項４３】
前記受信モジュールは、
第４の表示情報を受信するようにさらに構成され、前記第４の表示情報は、前記ベクトルＤi,j中の前記Ｐi,j要素に対応するＷ2(1)（ｉ，ｊ），Ｗ2(2)（ｉ，ｊ），．．．，Ｗ2(K)（ｉ，ｊ）中の前記Ｐi,j要素の周波数領域位置を示すために使用される請求項４２に記載の通信装置。
【請求項４４】
前記行列Ｆi,jのＰi,jベクトルは互いに直交する請求項３７乃至４１のいずれか一項に記載の通信装置。
【請求項４５】
前記受信モジュールは、
第５の表示情報を受信するようにさらに構成され、前記第５の表示情報は、前記行列Ｆi,jを示すために使用される請求項４４に記載の通信装置。
【請求項４６】
前記受信モジュールは、
第６の表示情報を受信するようにさらに構成され、前記第６の表示情報は、
前記ベクトルＤi,jの量であって、（ｉ，ｊ）∈Ｓまたは（ｉ，ｊ）∈Ｓおよびｊ＝ｑが満たされ、Ｓは、セット｛（ｘ，ｙ）｜（ｘ∈｛１，２，．．．，Ｌ｝，ｙ∈｛１，２，．．．，Ｒ｝）｝の空でないサブセットである、ベクトルＤi,jの量
を示すために使用される請求項３７乃至４５のいずれか一項に記載の通信装置。
【請求項４７】
前記第１の表示情報は、１つまたは複数のビットマップを備え、
各ビットマップは、前記ベクトルＤi,j中の前記Ｐi,j要素の位置を示すために使用される請求項３７乃至４６のいずれか一項に記載の通信装置。
【請求項４８】
前記第３の表示情報は、チャネル状態情報  ＣＳＩであり、前記ＣＳＩは、
前記第１の表示情報と、ランクインジケータＲＩと、第１のコードワードに対応するチャネル品質インジケータＣＱＩとを備える第１の部分  パート１のＣＳＩと、
前記第２の表示情報を備える第２の部分  パート２のＣＳＩと
を備え、
前記パート１のＣＳＩと前記パート２のＣＳＩとは、独立して符号化される
請求項３７乃至４７のいずれか一項に記載の通信装置。
【請求項４９】
トランシーバと、プロセッサと、メモリと、バスとを備える通信装置であって、前記トランシーバと、前記プロセッサと、前記メモリとは、前記バスに接続され、前記メモリは、プログラム命令を記憶し、前記プロセッサは、前記プログラム命令を実行して請求項１乃至２４のいずれか一項に記載の方法を実行する通信装置。
【請求項５０】
コンピュータ可読記憶媒体であって、前記コンピュータ可読記憶媒体は、コンピュータプログラムを記憶し、前記コンピュータプログラムがコンピュータ上で実行されるとき、前記コンピュータは、請求項１乃至２４のいずれか一項に記載の方法を実行することが可能になる、コンピュータ可読記憶媒体。
【請求項５１】
命令を含むコンピュータプログラムであって、前記命令がコンピュータ上で実行されるとき、前記コンピュータは、請求項１乃至２４のいずれか一項に記載の方法を実行することが可能になる、コンピュータプログラム。
【手続補正２】
【補正対象書類名】明細書
【補正対象項目名】０３１５
【補正方法】変更
【補正の内容】
【０３１５】
端末デバイスは、第５の表示情報を送信し、第５の表示情報は、行列Ｆi,jを示すために使用される。可能な実装では、第５の表示情報は、変換行列のＰi,j列を示すために使用され、変換行列は、限定はしないが、ＤＦＴ行列と、ＩＤＦＴ行列と、ＤＣＴ行列と、ＩＤＣＴ行列とを含む。
【国際調査報告】
2022501931.tif 000092
2022501931.tif 000093
2022501931.tif 000094
2022501931.tif 000095